(57)【要約】  トランスリフレクタ（４，５）は、基板の両側に当たる光のより大きな部分をそれぞれ反射および透過するための反射面（９）および他の光透過面を有する透明な基板（７）を含み得る。これに代えて、トランスリフレクタは、互いと嵌め合い係合する基板のうち１つの嵌め合い側に光学変形部（８）のパターンを備える、互いに接合され、屈折率の異なる２つ以上の透明な基板を含んでもよい。トランスリフレクタシステムまたはディスプレイでトランスリフレクタ（４，５）を用いて、トランスリフレクタの反対側に入射する、バックライト「ＢＬ」または他の光源（５０）が送出する光のより多くを透過させる。トランスリフレクタ（４，５）とバックライトとを互いに同調させて、バックライトが発する光のより多くをトランスリフレクタがより十分に透過できるようにしてもよい。
2005512144.tif 000002
【特許請求の範囲】
【請求項１】
透明な基板を含むトランスリフレクタであって、前記透明な基板は、対向する側と、前記側の少なくとも一方の上にある光学変形部と、前記側の一方に当たる光を反射するための前記基板の上またはその中の複数の面と、前記側の一方に当たる光を透過するための前記基板の上またはその中の複数の光透過面とを有する、トランスリフレクタ。
【請求項２】
前記基板はフィルムである、請求項１に記載のトランスリフレクタ。
【請求項３】
前記基板は多層フィルムである、請求項１に記載のトランスリフレクタ。
【請求項４】
前記多層フィルムは、キャリア膜および紫外線硬化層を含む、請求項３に記載のトランスリフレクタ。
【請求項５】
前記基板はプレートである、請求項１に記載のトランスリフレクタ。
【請求項６】
前記反射面および前記透過面は、サイズ、形状、角度および向きのうち少なくとも１つにおいて異なる、請求項１に記載のトランスリフレクタ。
【請求項７】
前記変形部は少なくとも２つの面を有し、前記面の一方は前記反射面であり、前記面の他方は前記光透過面である、請求項１に記載のトランスリフレクタ。
【請求項８】
前記光学変形部の少なくともいくつかは互いに重なる、請求項１に記載のトランスリフレクタ。
【請求項９】
前記光学変形部の少なくともいくつかは互いに対して互い違いにされる、請求項８に記載のトランスリフレクタ。
【請求項１０】
前記光学変形部の少なくともいくつかは互いと交差する、請求項８に記載のトランスリフレクタ。
【請求項１１】
前記光学変形部の少なくともいくつかは互いとインターロックする、請求項８に記載のトランスリフレクタ。
【請求項１２】
前記光学変形部はランダムに配置される、請求項１に記載のトランスリフレクタ。
【請求項１３】
透明な基板を含むトランスリフレクタであって、前記透明な基板は、対向する側と、基板の一方側に当たる光を反射するための前記基板の上またはその中の複数の傾斜反射面と、前記基板の他方側に当たる光を透過するための前記基板の上またはその中の複数の他の傾斜光透過面とを有する、トランスリフレクタ。
【請求項１４】
前記反射面は、前記基板の前記一方側に当たる光のより大きな部分を反射する、請求項１３に記載のトランスリフレクタ。
【請求項１５】
前記光透過面は、前記基板の他方側に当たる光のより大きな部分を透過する、請求項１３に記載のトランスリフレクタ。
【請求項１６】
前記反射面は、前記基板の前記一方側に当たる光のより大きな部分を反射し、前記光透過面は、前記基板の他方側に当たる光のより大きな部分を透過する、請求項１３に記載のトランスリフレクタ。
【請求項１７】
前記反射面は反射コーティングで被覆される、請求項１３に記載のトランスリフレクタ。
【請求項１８】
前記反射コーティングは偏光コーティングを含む、請求項１７に記載のトランスリフレクタ。
【請求項１９】
前記反射面は、前記基板の縦方向の軸に対して外向きに傾斜し、前記光透過面は、前記基板の縦方向の軸に対して内向きに傾斜する、請求項１３に記載のトランスリフレクタ。
【請求項２０】
前記反射面の、前記基板に平行な平面の上に突出したときの突出区域は、前記光透過面の、前記基板に平行な平面に突出したときの突出区域よりも実質的に大きい、請求項１３に記載のトランスリフレクタ。
【請求項２１】
前記光透過面の、前記基板の他方側に当たる光の最大強度の角度に対して垂直な平面上に突出したときの突出区域は、前記反射面の、前記基板の他方側に当たる光の最大強度の角度に対して垂直な平面の上に突出したときの突出区域よりも実質的に大きい、請求項１３に記載のトランスリフレクタ。
【請求項２２】
前記光透過面の、前記基板の他方側に当たる光の最大強度の角度に対して垂直な平面上に突出したときの突出区域は、前記反射面の、前記基板の他方側に当たる光の最大強度の角度に対して垂直な平面の上に突出したときの突出区域よりも実質的に大きく、前記基板の他方側に当たる光はバックライトから来る、請求項１３に記載のトランスリフレクタ。
【請求項２３】
前記反射面は実質的に平面である、請求項１３に記載のトランスリフレクタ。
【請求項２４】
前記反射面はカーブしている、請求項１３に記載のトランスリフレクタ。
【請求項２５】
前記光透過面はテクスチャ付けされている、請求項１３に記載のトランスリフレクタ。
【請求項２６】
前記光透過面は光学形状を有する、請求項１３に記載のトランスリフレクタ。
【請求項２７】
前記光透過面は反射防止コーティングを有する、請求項１３に記載のトランスリフレクタ。
【請求項２８】
前記反射面および前記光透過面は、前記基板の中の複数の溝によって形成される、請求項１３に記載のトランスリフレクタ。
【請求項２９】
前記反射面および前記光透過面は、各々が明確に規定された形状を有する、前記基板の上またはその中の個々の光学変形部のパターンによって形成される、請求項１３に記載のトランスリフレクタ。
【請求項３０】
前記反射面および前記光透過面は前記基板の前記他方側の上またはその中にあり、前記基板の前記一方側は光を再方向付けするように形作られる、請求項１３に記載のトランスリフレクタ。
【請求項３１】
前記基板の前記一方側は、前記トランスリフレクタが透過する光を再方向付けるように形作られた光学変形部およびテクスチャのうち少なくとも１つを有する、請求項３０に記載のトランスリフレクタ。
【請求項３２】
前記光学変形部は、角柱状溝、レンズ状溝、クロス溝、および明確に規定された形状の個々の光学要素または光学変形部のうち少なくとも１つを含む、請求項３１に記載のトランスリフレクタ。
【請求項３３】
前記反射面および前記光透過面は前記基板の前記一方側の上またはその中にあり、前記基板の前記他方側は光を再方向付けするまたは透過するように形作られる、請求項１３に記載のトランスリフレクタ。
【請求項３４】
前記基板の前記他方側は、バックライトまたは他の光源からの光を透過し、かつ前記光透過面へ光を再方向付けする光学形状を有する、請求項３３に記載のトランスリフレクタ。
【請求項３５】
前記光学形状は、角柱状溝、レンズ状溝、クロス溝、および明確に規定された形状の個々の光学変形部のうち少なくとも１つを含む、請求項３４に記載のトランスリフレクタ。
【請求項３６】
前記光学形状は、前記基板の前記他方側の上またはその中の、明確に規定された形状の個々の光学変形部のパターンを含む、請求項３４に記載のトランスリフレクタ。
【請求項３７】
前記光学変形部のサイズは前記基板にわたって異なる、請求項３６に記載のトランスリフレクタ。
【請求項３８】
前記光学変形部の密度は前記基板にわたって異なる、請求項３６に記載のトランスリフレクタ。
【請求項３９】
前記光学変形部の向きは前記基板にわたって異なる、請求項３６に記載のトランスリフレクタ。
【請求項４０】
前記光学変形部の角度は前記基板にわたって異なる、請求項３６に記載のトランスリフレクタ。
【請求項４１】
前記光学変形部の少なくともいくつかは、位置、サイズ、高さ、密度、角度、向きおよび形状の特徴のうち少なくとも１つにおいて異なる、請求項３６に記載のトランスリフレクタ。
【請求項４２】
透明な基板を含むトランスリフレクタであって、前記透明な基板は、対向する側と、前記側の少なくとも一方の上の光学変形部と、前記側の一方に当たる光を反射するための前記基板の上またはその中の少なくとも１つの反射面と、前記側の他方に当たる光を透過するための前記基板の上またはその中の少なくとも１つの光透過面とを有する、トランスリフレクタ。
【請求項４３】
透明な基板からトランスリフレクタを製造する方法であって、前記基板の一方側に反射コーティングを塗布するステップと、そのような一方側を熱成形して、角度付けられ反射コーティングされた複数の面と、他の角度付けられコーティングされていない複数の光透過面とを形成するステップとを含む、方法。
【請求項４４】
光透過面は光を再方向付けするまたは透過するようにテクスチャ付けされる、請求項４３に記載の方法。
【請求項４５】
光を再方向付けするまたは透過するように光学形状が光透過面の上またはその中に形成される、請求項４３に記載の方法。
【請求項４６】
バックライトまたは他の光源からの光を再方向付けするまたは透過するために基板の他方側の上またはその中に光学形状を形成するステップをさらに含む、請求項４３に記載の方法。
【請求項４７】
光を再方向付けするまたは透過するために基板の他方側の上またはその中に個々の光学変形部のパターンを形成するステップをさらに含む、請求項４３に記載の方法。
【請求項４８】
光学変形部の各々は明確に規定された形状に形成される、請求項４７に記載の方法。
【請求項４９】
光学変形部のサイズは基板にわたって異なる、請求項４７に記載の方法。
【請求項５０】
光学変形部の密度は基板にわたって異なる、請求項４７に記載の方法。
【請求項５１】
光学変形部の向きは基板にわたって異なる、請求項４７に記載の方法。
【請求項５２】
基板の他方側の上またはその中に光学変形部を形成するステップをさらに含む、請求項４３に記載の方法。
【請求項５３】
透明な基板からトランスリフレクタを製造する方法であって、基板に反射コーティングを塗布するステップと、次にコーティングを選択的に除去して複数の光透過面を形成するステップとを含む、方法。
【請求項５４】
透明な基板からトランスリフレクタを製造する方法であって、基板の一方側の上またはその中に間隔をあけられた複数の面または区域を形成するステップと、バックライトからの光を透過するために面または区域のうちあるものを除き、周辺光を反射するために面または区域のうちあるものに反射コーティング、フィルムまたは層を塗布するステップとを含む、方法。
【請求項５５】
反射コーティングは、高低線堆積技術を用いて面または区域のうちあるものの上に堆積されるメタライズドコーティングである、請求項５４に記載の方法。
【請求項５６】
反射コーティングは面または区域のうちあるものの上に熱間スタンプされる、請求項５４に記載の方法。
【請求項５７】
反射コーティングは、面または区域のうちあるものに塗布されるまたはそれに密に近接する２次フィルムである、請求項５４に記載の方法。
【請求項５８】
他の面または区域をテクスチャ付けするステップをさらに含む、請求項５４に記載の方法。
【請求項５９】
他の面または区域の上またはその中に光学形状を形成するステップをさらに含む、請求項５４に記載の方法。
【請求項６０】
基板の他方側の上またはその中に光学変形部を形成するステップをさらに含む、請求項５４に記載の方法。
【請求項６１】
他の表面または区域に反射防止コーティングを塗布するステップをさらに含む、請求項５４に記載の方法。
【請求項６２】
基板の嵌め合い側に沿って少なくとも部分的に互いに接合される、屈折率の異なる少なくとも２つの透明な基板を含むトランスリフレクタであって、前記基板のうち１つの嵌め合い側は光学変形部のパターンを有し、前記基板の別の嵌め合い側は前記光学変形部の逆パターンを有する、トランスリフレクタ。
【請求項６３】
前記基板は、前記基板の嵌め合い側に沿って選択区域で互いに接合される、請求項６２に記載のトランスリフレクタ。
【請求項６４】
前記基板は、前記基板の嵌め合い側に沿って互いに完全に接合される、請求項６２に記載のトランスリフレクタ。
【請求項６５】
前記光学変形部の少なくともいくつかは互いに重なる、請求項６２に記載のトランスリフレクタ。
【請求項６６】
前記光学変形部の少なくともいくつかは互いに対して互い違いにされる、請求項６５に記載のトランスリフレクタ。
【請求項６７】
前記光学変形部の少なくともいくつかは互いと交差する、請求項６５に記載のトランスリフレクタ。
【請求項６８】
前記光学変形部の少なくともいくつかは互いとインターロックする、請求項６５に記載のトランスリフレクタ。
【請求項６９】
前記光学変形部はランダムに配置される、請求項６２に記載のトランスリフレクタ。
【請求項７０】
屈折率がより低い基板の他方側は、バックライトまたは他の光源から送出される光を透過するように形作られた光学変形部を有する、請求項６２に記載のトランスリフレクタ。
【請求項７１】
屈折率がより高い基板の他方側は、トランスリフレクタが透過する光を再方向付けするように形作られた光学変形部およびテクスチャのうち少なくとも１つを有する、請求項６２に記載のトランスリフレクタ。
【請求項７２】
光学変形部の前記パターンおよび前記逆パターンは、角柱状溝、レンズ状溝、クロス溝、および明確に規定された形状の個々の光学変形部のうち少なくとも１つを含む、請求項６２に記載のトランスリフレクタ。
【請求項７３】
前記個々の光学変形部の形状は、ピラミッド、切頭ピラミッド、丸められた側面と平面とを有するもの、円錐、切頭円錐、両端が丸められ両側面が傾斜したもの、および半球のうち少なくとも１つである、請求項７２に記載のトランスリフレクタ。
【請求項７４】
前記基板の嵌め合い面に沿って互いに接合された、屈折率の異なる２つよりも多くの透明な基板と、いちばん外側の基板の外面上の光学変形部とを含む、請求項６２に記載のトランスリフレクタ。
【請求項７５】
屈折率の異なる少なくとも２つの透明な基板からトランスリフレクタを製造する方法であって、基板のうち１つの一方側の上またはその中に光学変形部のパターンを予め形成するステップと、１つの基板の一方側の上またはその中の光学変形部の予め形成されたパターンを用いて別の基板の一方側の中またはその上に光学変形部の逆パターンを形成するステップと、光学変形部と逆光学変形部とが互いと嵌め合い係合するように基板の一方側を互いに接合するステップとを含む、方法。
【請求項７６】
光学変形部の逆パターンは、別の基板の一方側を溶融または熱軟化することと、１つの基板の一方側が溶融または軟化しないようにしながら、１つの基板の一方側の上またはその中の光学変形部の予め形成されたパターンに対して別の基板の溶融または軟化した側をプレスして別の基板の溶融または軟化した側の中またはその上に光学変形部の逆パターンを形成することと、基板を冷却して別の基板の一方側を硬化させかつ１つの基板の一方側に接合することとにより、別の基板の一方側の上またはその中に形成される、請求項７５に記載の方法。
【請求項７７】
バックライトまたは他の光源から送出された光の特定の分布を透過するように形作られた、屈折率がより低い基板の他方側に光学変形部を形成するステップをさらに含む、請求項７５に記載の方法。
【請求項７８】
光を再方向付けするように形作られた、屈折率がより高い基板の他方側に光学変形部を形成するステップをさらに含む、請求項７５に記載の方法。
【請求項７９】
屈折率がより高い基板の他方側にテクスチャを施すステップをさらに含む、請求項７５に記載の方法。
【請求項８０】
屈折率の異なる少なくとも１つの透明な基板および透明な紫外線硬化ポリマーからトランスリフレクタを製造する方法であって、１つの基板の一方側の上またはその中に光学変形部のパターンを予め形成するステップと、１つの基板の一方側の上またはその中の光学変形部の予め形成されたパターンにポリマーを塗布するステップと、ポリマーを硬化させてポリマー中に光学変形部の逆パターンを形成し、かつ１つの基板の一方側にポリマーを接合するステップとを含む、方法。
【請求項８１】
光線出力分布を送出するパネル表面を有する発光パネル部材を含むバックライトと、一定の屈折率を各々が有する１つ以上の層を含むトランスリフレクタとを含むトランスリフレクタおよびバックライトシステムであって、前記トランスリフレクタの一方側は、一方側に入射するパネル表面からの光線出力分布の５０％よりも多くを透過するバックライトのパネル表面に密に近接し、前記トランスリフレクタの他方側は、一方側の反対に存在して、その側に入射する周辺光の５０％よりも多くを反射する、システム。
【請求項８２】
トランスリフレクタが反射する周辺光およびトランスリフレクタが透過するバックライトからの光を受ける、トランスリフレクタの他方側に密に近接したディスプレイをさらに含む、請求項８１に記載のシステム。
【請求項８３】
ディスプレイは液晶ディスプレイである、請求項８２に記載のシステム。
【請求項８４】
光源から光を受けるための少なくとも１つの入力端縁および光を送出するための少なくとも１つのパネル表面を有する発光パネル部材を含むバックライトと、トランスリフレクタの一方側に入射する前記パネル表面が送出した光を透過し、かつ前記トランスリフレクタの反対側に入射する周辺光を反射するためのトランスリフレクタとを含むトランスリフレクタおよびバックライトシステムであって、前記トランスリフレクタの前記側の少なくとも１つは、光学変形部と、前記トランスリフレクタの前記反対側に当たる周辺光を反射するための前記トランスリフレクタの上またはその中の複数の反射面と、前記トランスリフレクタの前記一方側に当たる前記パネル表面が送出した光を透過するための前記トランスリフレクタの上またはその中の複数の光透過面とを有する、システム。
【請求項８５】
前記変形部は少なくとも２つの面を有し、前記面の１つは前記反射面であり、前記面の
別の方は前記光透過面である、請求項８４に記載のシステム。
【請求項８６】
前記パネル部材は、前記パネル部材から前記トランスリフレクタに光が透過する効率を増大させるために、前記トランスリフレクタの光学変形部と整列される個々の光学変形部のパターンを有する、請求項８４に記載のシステム。
【請求項８７】
前記パネル部材から前記トランスリフレクタに光が透過する効率をさらに増大させるために、前記トランスリフレクタと前記パネル部材の整列された変形部との間の領域に屈折率一致材料を含む、請求項８６に記載のシステム。
【請求項８８】
前記トランスリフレクタは複数の基板層を含む、請求項８６に記載のシステム。
【請求項８９】
前記トランスリフレクタはメタライズドフィルム層を含む、請求項８８に記載のシステム。
【請求項９０】
光源からの光を受けるための少なくとも１つの入力端縁および光を送出するための少なくとも１つのパネル表面を有する発光パネル部材を含むバックライトと、トランスリフレクタの一方側に入射する前記パネル表面が送出した光を透過し、かつ前記トランスリフレクタの反対側に入射する周辺光を反射するためのトランスリフレクタとを含むトランスリフレクタおよびバックライトシステムであって、前記トランスリフレクタの前記側のうち一方または他方は、前記トランスリフレクタの前記反対側に入射する周辺光を反射するための角度付けられた複数の反射面と、前記トランスリフレクタの前記一方側に入射する前記パネル表面が送出する光を透過するための他の角度付けられた複数の光透過面とを有する、システム。
【請求項９１】
前記反射面は前記トランスリフレクタの前記一方側に当たる光の５０％よりも多くを反射する、請求項９０に記載のシステム。
【請求項９２】
前記光透過面は、前記トランスリフレクタの他方側に当たる光の５０％よりも多くを透過する、請求項９０に記載のシステム。
【請求項９３】
前記反射面は前記トランスリフレクタの前記一方側に当たる光の５０％よりも多くを反射し、前記光透過面は前記トランスリフレクタの他方側に当たる光の５０％よりも多くを透過する、請求項９０に記載のシステム。
【請求項９４】
前記パネル部材は、前記パネル部材が送出する入射光を受けるトランスリフレクタの側に同調される前記パネル表面からの特定の光出力分布を発生するための個々の光学変形部のパターンを有し、これにより前記トランスリフレクタは前記パネル表面が送出する光のより大きな部分を透過する、請求項９０に記載のシステム。
【請求項９５】
前記反射面および前記光透過面は前記トランスリフレクタの前記反対側の中またはその上に形成され、前記トランスリフレクタの前記一方側は、前記パネル表面から送出される入射光を透過し、かつ前記トランスリフレクタの前記反対側の中またはその上の前記光透過面へ光を方向付ける光学変形部を有する、請求項９０に記載のシステム。
【請求項９６】
前記光学変形部は、角柱状溝、レンズ状溝、クロス溝、および明確に規定された形状の個々の光学変形部のうち少なくとも１つを含む、請求項９５に記載のシステム。
【請求項９７】
前記個々の光学変形部の形状は、ピラミッド、切頭ピラミッド、丸められた側面と平面とを有するもの、円錐、切頭円錐、両端が丸められ両側面が傾斜したもの、および半球の
うち少なくとも１つである、請求項９６に記載のシステム。
【請求項９８】
前記トランスリフレクタの前記一方側の上またはその中の前記光学変形部は、前記パネル表面からの光出力分布のいかなる非均一性も補正する形状パターンを有する、請求項９５に記載のシステム。
【請求項９９】
前記トランスリフレクタの前記一方側の上またはその中の前記光学変形部は、パネル部材の入力端縁からの距離が増大するにつれて前記パネル表面から送出される光の角度分布の変化を補正する、前記パネル部材の入力端縁からの距離とともに変化する角度付き形状パターンを有する、請求項９５に記載のシステム。
【請求項１００】
前記反射面および前記光透過面は、前記トランスリフレクタの前記一方側の中またはその上に存在し、前記トランスリフレクタの前記反対側は、前記反対側から出る光を前記トランスリフレクタの前記反対側に対してより垂直な方向へ再方向付けするための光学変形部を有する、請求項９０に記載のシステム。
【請求項１０１】
前記光学変形部は角柱状面のパターンを含む、請求項１００に記載のシステム。
【請求項１０２】
前記光学変形部は、各々が明確に規定された形状を有する個々の光学変形部のパターンを含む、請求項１００に記載のシステム。
【請求項１０３】
前記反射面および前記光透過面は前記トランスリフレクタの前記一方側の中またはその上に存在し、前記トランスリフレクタの前記反対側は、テクスチャ、化学エッチング、レーザエッチング、および前記トランスリフレクタが透過した光を再方向付けするように形作られた光学変形部のうち少なくとも１つを有する、請求項９０に記載のシステム。
【請求項１０４】
前記光学変形部は、角柱状溝、レンズ状溝、クロス溝、および明確に規定された形状の個々の光学変形部のうち少なくとも１つを含む、請求項１０３に記載のシステム。
【請求項１０５】
前記パネル部材は、前記パネル表面から特定の光出力分布を発生するための個々の光学変形部のパターンを有し、前記パネル部材の前記変形部の少なくともいくつかは、前記パネル表面からそれに当たる光を反射または屈折させるための少なくとも１つの傾斜面を含む明確に規定された形状を有する、請求項９０に記載のシステム。
【請求項１０６】
前記パネル部材の前記変形部の少なくともいくつかの前記傾斜面は、前記パネル部材にわたり前記入力端縁の光学的に結合された区域に面するような向きにされる、請求項１０５に記載のシステム。
【請求項１０７】
前記パネル部材の前記変形部の少なくともいくつかの傾斜面の区域は、前記パネル表面からの所望の光出力分布を達成するように前記パネル部材にわたって異なる、請求項１０５に記載のシステム。
【請求項１０８】
前記パネル部材の前記変形部は、前記パネル部材の中またはその上に窪みまたは突出部を含む、請求項１０５に記載のシステム。
【請求項１０９】
前記変形部の少なくともいくつかの前記傾斜面は平面であり、前記システムはさらに、前記入力端縁に光学的に結合された少なくとも１つの光源を含み、前記パネル部材のそれぞれの変形部の前記平面は、前記パネル部材にわたり、光源が光学的に結合される前記入力端縁の区域に面するような向きにされる、請求項１０５に記載のシステム。
【請求項１１０】
前記パネル部材の前記変形部の少なくともいくつかは前記パネル部材にわたって塊で配置され、前記塊の各々の前記変形部の少なくともいくつかは、前記パネル部材にわたって異なる前記塊の各々ごとに平均サイズ特徴をまとまってもたらす異なるサイズ特徴を有する、請求項１０５に記載のシステム。
【請求項１１１】
前記パネル部材の前記変形部の少なくともいくつかは前記パネル部材にわたって塊で配置され、前記塊の各々の前記変形部の少なくともいくつかは、前記パネル部材にわたって異なる前記塊の各々ごとに平均形状特徴をまとまってもたらす異なる形状特徴を有する、請求項１０５に記載のシステム。
【請求項１１２】
前記塊の各々の前記変形部の少なくともいくつかは、前記パネル部材にわたって異なる前記塊の各々ごとに平均深さまたは高さ特徴をまとまってもたらす異なる深さまたは高さを有する、請求項１１１に記載のシステム。
【請求項１１３】
前記塊の各々の前記変形部の少なくともいくつかは、前記パネル部材にわたって異なる前記塊の各々ごとに平均傾斜特徴をまとまってもたらす異なる傾斜を有する、請求項１１１に記載のシステム。
【請求項１１４】
前記塊の各々の前記変形部の少なくともいくつかは、前記パネル部材にわたって異なる前記塊の各々ごとに平均的な向きの特徴をまとまってもたらす異なる向きを有する、請求項１１１に記載のシステム。
【請求項１１５】
前記塊の各々の前記変形部の少なくともいくつかは、前記パネル部材にわたって異なる前記塊の各々ごとに平均幅特徴をまとまってもたらす異なる幅を有する、請求項１１１に記載のシステム。
【請求項１１６】
前記塊の各々の前記変形部の少なくともいくつかは、前記パネル部材にわたって異なる前記塊の各々の平均長さ特徴をまとまってもたらす異なる長さを有する、請求項１１１に記載のシステム。
【請求項１１７】
前記パネル部材の前記変形部の少なくともいくつかの向きは前記パネル部材にわたって異なる、請求項１０５に記載のシステム。
【請求項１１８】
前記入力端縁に光学的に結合された少なくとも１つの光源をさらに含み、前記パネル部材の前記変形部は、光源が光学的に結合される前記入力端縁の区域に対して径方向に延びる列に配置される、請求項１０５に記載のシステム。
【請求項１１９】
前記トランスリフレクタの側に密に近接した一方側が前記パネル部材とは反対に向いたディスプレイをさらに含む、請求項１０５に記載のシステム。
【請求項１２０】
前記ディスプレイは標識である、請求項１１９に記載のシステム。
【請求項１２１】
前記ディスプレイは液晶ディスプレイである、請求項１１９に記載のシステム。
【請求項１２２】
前記ディスプレイはメンブレンスイッチである、請求項１１９に記載のシステム。
【請求項１２３】
前記パネル部材の前記光学変形部の前記パターンは、前記パネル部材の前記光学変形部の間隔が液晶ディスプレイのいずれの画素間隔とも干渉しないように変更される、請求項１２１に記載のシステム。
【請求項１２４】
前記パネル部材の前記光学変形部の少なくともいくつかは少なくとも１つのさらなる表面を有し、前記少なくとも１つのさらなる表面は、それに当たる光を異なる方向に反射または屈折させて前記パネル部材にわたって光を広げ、前記パネル表面が送出する光のより均一な分布を与える、請求項１１０に記載のシステム。
【請求項１２５】
前記さらなる表面はカーブしている、請求項１２４に記載のシステム。
【請求項１２６】
前記傾斜面は平面であり、前記さらなる表面はカーブしている、請求項１２４に記載のシステム。
【請求項１２７】
前記パネル部材の前記光学変形部の各々は、２つの面のみ、すなわち前記平面および前記さらなる表面のみを有する、請求項１２６に記載のシステム。
【請求項１２８】
前記さらなる表面は前記傾斜面と交差する、請求項１２７に記載のシステム。
【請求項１２９】
光源から光を受けるための少なくとも１つの入力端縁および光を送出するための少なくとも１つのパネル表面を有する発光パネル部材を含むバックライトと、トランスリフレクタの一方側に入射する前記パネル表面が送出した光を透過し、かつ前記トランスリフレクタの反対側に入射する周辺光を反射するためのトランスリフレクタとを含むトランスリフレクタおよびバックライトシステムであって、前記トランスリフレクタは、基板の嵌め合い側に沿って互いに接合された屈折率の異なる少なくとも２つの透明な基板を含み、前記基板のうち１つの嵌め合い側は光学変形部のパターンを有し、前記基板のうち別の方の嵌め合い側は前記１つの基板の嵌め合い側の上に前記光学変形部の逆パターンを有し、前記パネル表面から入射光を受ける前記トランスリフレクタの前記一方側は前記トランスリフレクタの屈折率のより低い側であり、入射周辺光を受ける前記トランスリフレクタの反対側は前記トランスリフレクタの屈折率のより高い側である、システム。
【請求項１３０】
前記トランスリフレクタからの反射光および透過光を受ける、前記トランスリフレクタの前記反対側に密に隣接するディスプレイをさらに含む、請求項１２９に記載のシステム。
【請求項１３１】
前記パネル表面から送出された入射光を受ける前記トランスリフレクタの前記一方側は、前記パネル表面から送出された光を透過するように形作られたさらなる光学変形部を有する、請求項１２９に記載のシステム。
【請求項１３２】
前記パネル部材は、前記パネル部材が送出する入射光を受けるトランスリフレクタの側に同調される前記パネル表面からの特定の光出力分布を発生するための個々の光学変形部のパターンを有し、これにより前記トランスリフレクタは前記パネル表面が送出する光のより大きな部分を透過する、請求項１３１に記載のシステム。
【請求項１３３】
前記基板の嵌め合い側上の光学変形部の前記パターンおよび前記逆パターンは、角柱状溝、レンズ状溝、クロス溝、および明確に規定された形状の個々の光学変形部のうち少なくとも１つを含む、請求項１３１に記載のシステム、
【請求項１３４】
前記個々の光学変形部の形状は、ピラミッド、切頭ピラミッド、丸められた側面と平面とを有するもの、円錐、切頭円錐、両端が丸められ両側面が傾斜したもの、および半球のうち少なくとも１つである、請求項１３３に記載のシステム。
【請求項１３５】
前記トランスリフレクタの反対側は、前記トランスリフレクタが透過した光を再方向付けするように形作られた光学変形部およびテクスチャのうち少なくとも１つを有する、請
求項１２９に記載のシステム。
【請求項１３６】
前記パネル部材は、前記パネル部材からの特定の光出力分布を発生するための個々の光学変形部のパターンを有し、前記パネル部材の前記個々の光学変形部の少なくともいくつかは、前記パネル表面から前記パネル部材の前記光学変形部に当たる光を反射または屈折させるための少なくとも１つの傾斜面を含む明確に規定された形状を有する、請求項１２９に記載のシステム。
【請求項１３７】
前記パネル部材の前記変形部の少なくともいくつかは前記パネル部材にわたって塊で配置され、前記塊の各々の前記変形部の少なくともいくつかは、前記パネル部材にわたって異なる前記塊の各々ごとに平均サイズ特徴をまとまってもたらす異なるサイズ特徴を有する、請求項１３６に記載のシステム。
【請求項１３８】
前記パネル部材の前記変形部の少なくともいくつかは前記パネル部材にわたって塊で配置され、前記塊の各々の前記変形部の少なくともいくつかは、前記パネル部材にわたって異なる前記塊の各々ごとに平均形状特徴をまとまってもたらす異なる形状特徴を有する、請求項１３６に記載のシステム。
【請求項１３９】
前記パネル部材の前記変形部の少なくともいくつかの向きは前記パネル部材にわたって異なる、請求項１２９に記載のシステム。
【請求項１４０】
前記入力端縁に光学的に結合された少なくとも１つの光源をさらに含み、前記パネル部材の前記変形部は、光源が光学的に結合される前記入力端縁の区域に対して径方向に延びる列に配置される、請求項１２９に記載のシステム。
【請求項１４１】
前記トランスリフレクタの反対側に密に近接する一方側を有するディスプレイをさらに含む、請求項１２９に記載のシステム。
【請求項１４２】
前記ディスプレイは標識である、請求項１４１に記載のシステム。
【請求項１４３】
前記ディスプレイは液晶ディスプレイである、請求項１４１に記載のシステム。
【請求項１４４】
前記パネル部材の前記光学変形部の前記パターンは、前記パネル部材の前記光学変形部の間隔が液晶ディスプレイのいずれの画素間隔とも干渉しないように変更される、請求項１４３に記載のシステム。
【請求項１４５】
前記パネル部材の前記光学変形部の少なくともいくつかは少なくとも１つのさらなる表面を有し、前記少なくとも１つのさらなる表面は、それに当たる光を異なる方向に反射または屈折させて前記パネル部材にわたって光を広げ、前記パネル表面が送出する光のより均一な分布を与える、請求項１２９に記載のシステム。
【発明の詳細な説明】
【技術分野】
【０００１】
発明の分野
この発明は、トランスリフレクタ（transreflector）の一方側に当たる光のより大きな部分を反射しかつトランスリフレクタの他方側に当たる光のより大きな部分を透過し、またその逆も行なうトランスリフレクタに関する。また、この発明は、トランスリフレクタを製造する異なる方法に関する。
【背景技術】
【０００２】
発明の背景
トランスリフレクタは、それに当たる光の一部を透過し、かつそれに当たる光の一部を反射する光学装置である。トランスリフレクタの例は、ビームスプリッタまたは半渡銀鏡である。トランスリフレクタの所与の側に当たる光強度を考慮すると、エネルギ保存により、（ｉ）トランスリフレクタを透過する、（ii）トランスリフレクタが反射する、および（iii）トランスリフレクタが吸収する光強度の和は、その側に当たる元の強度と等しくなければならない。装置の一方側に当たる光をできるだけ透過する一方で、装置の反対側に当たる光をできるだけ反射するトランスリフレクタを構築することが所望される場合、ビームスプリッタ型トランスリフレクタ装置は、装置が吸収する光の強度が０であると仮定すれば、５０％の光透過および５０％の光反射に理論的に限定される。光吸収がゼロであるトランスリフレクタ装置を製造することは物理的に不可能なので、装置に入射する光の最大量を透過および反射しようとするビームスプリッタ型トランスリフレクタ装置は、５０％未満の透過および５０％未満の反射に限定される。
【０００３】
たとえば液晶ディスプレイ（ＬＣＤ）とともにトランスリフレクタを用いて、ラップトップコンピュータ、パーソナルデジタルアシスタント装置（ＰＤＡ）、ワードプロセッサ、航空機搭載ディスプレイ、携帯電話などで、バックライトのスイッチを入れなくても、暗い環境ではバックライトでおよび明るい環境では周辺光でディスプレイが照明されるようにし得る。これは、たとえば、バックライトとＬＣＤとの間にトランスリフレクタを置くことによってなされる。明るい環境では、周辺光の一部がディスプレイを通過し、次にこの光の一部がトランスリフレクタで反射されてＬＣＤに戻り、ディスプレイを照明する。暗い環境では、バックライトからの光の一部がトランスリフレクタを透過し、ＬＣＤを透過してディスプレイを照明する。
【０００４】
明るいおよび暗い環境の両方でできるだけディスプレイを明るくするため、理想的なトランスリフレクタは、下から当たるバックライトからの光を１００％透過し、かつ上から当たる周辺光を１００％反射する。トランスリフレクタ装置におけるたとえば吸収などの光損失のために、下からトランスリフレクタに当たる光の１００％透過および上からトランスリフレクタに当たる光の１００％反射を得ることが不可能になる。しかしながら、できるだけ実際に１００％透過および１００％反射に近いことが望ましい。
【０００５】
ビームスプリッタ型トランスリフレクタは、上から上面に当たる光と下から底面に当たる光とを扱うが、これらの装置の表面に当たる光の透過および反射の両者については５０％未満に限定される。したがって、ビームスプリッタ型トランスリフレクタ装置は、下から当たるバックライトからの光の５０％未満の透過、および上から当たる周辺光の５０％未満の反射に限定され、これは、できる限りディスプレイを明るくするのに必要な、下からの１００％透過および上からの１００％反射という理想とは程遠い。
【０００６】
ディスプレイをできる限り明るくするため、上から当たる光と下から当たる光とを異なる態様で扱うトランスリフレクタ装置に対する必要性が存在する。さらに、これらのトランスリフレクタは、下から当たる光をできるだけ（たとえば５０％よりも多く）透過し、かつ上から当たる光をできるだけ（たとえば５０％よりも多く）反射しなければならない。
【発明の開示】
【発明が解決しようとする課題】
【０００７】
発明の概要
この発明は、トランスリフレクタの一方側に当たる光のより多くを反射しかつトランスリフレクタの反対側に当たる光のより多くを透過するトランスリフレクタ、トランスリフレクタシステムおよびディスプレイ、ならびにトランスリフレクタを製造する方法に関する。
【課題を解決するための手段】
【０００８】
この発明の１つの形態では、トランスリフレクタは、基板の一方側の上またはその中に反射面および非反射光透過面を有する光学変形部のパターンを有する（フィルムまたはプレートであり得る）透明な基板を含む。明細書およびクレームを通じて用いられるような「透明」という用語は、光学的に透明または光学的に半透明であることを意味する。トランスリフレクタは、いちばん外側の層の外側面上に光学変形部を備えた、互いに接合された２つ以上の基板／フィルム層も含み得る。これらの光学変形部は、溝または明確に規定された形状の個々の光学変形部を含み得る。また、光学変形部のサイズ、高さ、形状、位置、角度、密度および／または向きは基板にわたって異なり得る。反射面は偏光コーティングを含み得る反射コーティングで被覆される。透過面は、光を再方向付けするためにテクスチャ付けされたり、レンズ状にされたり、または光学的形状を有し得、また反射防止コーティングまたは偏光コーティングなどのオプティカルコーティングも有し得る。反射面および非反射光透過面のパターンは、基板の上側（すなわちＬＣＤに最も近い面）または基板の底側（すなわちバックライトに最も近い面）の上に存在し得る。反射面および透過面のサイズ、形状、角度、密度および向きは異なり得る。
【０００９】
反射面および非反射面のパターンがトランスリフレクタの上側に存在する場合、トランスリフレクタの他方側または底は平らであってもよく、またはたとえばバックライトの出力分布などのある光分布をより十分に透過するように設計された光学的形状を有してもよく、さらに、この光を光透過面へ方向付けてもよい。これらの光学変形部は、溝または明確に規定された形状の個々の光学変形部を含み得る。また、光学変形部のサイズ、高さ、形状、位置、角度、密度および／または向きはトランスリフレクタにわたって異なり得る。光学変形部に加えてまたはその代わりに反射防止コーティングまたは偏光コーティングなどのオプティカルコーティングもトランスリフレクタの底に塗布してもよい。
【００１０】
反射面および非反射面のパターンがトランスリフレクタの底側に存在する場合、トランスリフレクタの他方側または上面は平らであるか、または光を再方向付けするために光学変形部を有し得る。たとえば、トランスリフレクタの上側は、トランスリフレクタからのより多くの光がＬＣＤを透過するように、トランスリフレクタを透過した光をよりＬＣＤの垂直方向に向けて再方向付けする光学的形状を有してもよい。これらの光学変形部は、角柱状もしくはレンズ状溝を含むがそれらに限定されない溝、または明確に規定された形状の個々の光学変形部を含み得る。また、光学変形部のサイズ、形状、角度、密度および向きはトランスリフレクタにわたって異なり得る。トランスリフレクタの上面は、テクスチャ付けされるか、または反射防止コーティングもしくは偏光コーティングなどのオプティカルコーティングを有してもよい。
【００１１】
そのようなトランスリフレクタは、透明な基板の一方側に反射コーティングを塗布し、次にそのような一方側を熱成形して、間隔をあけられ角度付けられ反射コーティングされた複数の面と、角度付けられ被覆されていない複数の光透過面とを設けることによって製造され得る。反射面と非反射光透過面との両者の角度は、性能を最適化するように選択され得る。また、光学変形部は基板の他方側に形成されてもよい。
【００１２】
これに代えて、そのようなトランスリフレクタは、透明な基板の一方側を熱成形して、間隔をあけられ角度付けられた複数の面と角度付けられた他の複数の面とを作製し、次に角度付けられた面に反射コーティングを塗布してそれらを反射面にする一方で角度付けられた他の面を被覆しないまま残すことによって製造されてもよい。これは、たとえば、高低線（line of site）または他の適切な堆積技術を用いて、角度付けられた他の面ではなく角度付けられた面の上に反射コーティングを堆積することによって達成され得る。
【００１３】
この発明の別の形態では、トランスリフレクタは、基板の嵌め合い側に沿って互いに接合される、屈折率の異なる２つ以上の透明な基板を含む。基板のうち少なくとも１つの嵌め合い側は光学変形部のパターンを有し、他の基板の嵌め合い側は、１つの基板の嵌め合い側上の光学変形部と逆のパターンを有する。屈折率がより低い基板の他方側は平らであってもよく、またはバックライトもしくは他の光源から送出される光の特定の分布を受入れるように設計された光学変形部を有してもよい。屈折率がより高い基板の他方側は、テクスチャ付けされるか、またはこの面からトランスリフレクタに入るもしくはそれを出る光を再方向付けする光学的形状を有してもよい。いずれかの基板の他方側には反射防止コーティングまたは偏光コーティングなどのオプティカルコーティングが塗布されてもよい。オプティカルコーティングは、２つの基板が互いに接合される前に嵌め合い面のいずれかに塗布されて、その結果、２つの基板が互いに接合された後に２つの基板の嵌め合い界面に光学的フィルムができるようにしてもよい。
【００１４】
そのようなトランスリフレクタは、屈折率の異なる２つの透明な基板の一方側の上またはその中に光学変形部のパターンを予め形成することと、一方の基板の光学変形部の予め形成されたパターンを用いて、一方の基板のそのような一方側が溶融するのを防止しながら他方の基板の一方側を溶融または熱軟化して、他方の基板の溶融または軟化した側を一方の基板の一方側の上またはその中の変形部の予め成形されたパターンに対してプレスして他方の基板の一方側の上またはその中に逆パターンを形成して、他方の基板の一方側の中またはその上に光学変形部の逆パターンを形成することとによって製造され得る。次に基板の両者ともを冷却して、他方の基板の一方側を硬化させ、一方の基板の一方側と接合する。また、光学変形部は、２つの基板を互いに接合する前、後またはその間のいずれかに基板のいずれかの他方側の上またはその中に形成され得る。
【００１５】
これらのトランスリフレクタのいずれをトランスリフレクタシステムまたはディスプレイにおいて用いて、トランスリフレクタの一方側に入射するバックライトまたは他の光源が送出する光を透過し、トランスリフレクタの反対側に入射する周辺光を反射してもよい。バックライトまたは他の光源からの入射光を受けるトランスリフレクタの側は、光源から送出された光の特定の出力分布をより十分に透過するように設計された光学変形部を有してもよく、バックライトの入力端縁からの距離が増すにつれてバックライトから送出される光の角度分布における変化を補う、バックライトの入力端縁からの距離によって変化する角度付き形状パターンを含んでもよい。バックライトまたは他の光源からの光を受けるトランスリフレクタの側の上の光学変形部は、溝または明確に規定された形状の個々の光学変形部を含んでもよい。また、光学変形部のサイズ、形状、角度、密度および向きはトランスリフレクタにわたって異なってもよい。
【００１６】
入射周辺光を受けるトランスリフレクタの他方側はテクスチャス付けされてもよく、ま
たはこの面からトランスリフレクタに入るもしくはそれを出る光を再方向付けする光学的形状を有してもよい。周辺光を受けるトランスリフレクタの側の上の光学的形状は、溝または明確に規定された形状の個々の光学変形部を含んでもよい。また、光学変形部のサイズ、形状、角度、密度および向きはトランスリフレクタにわたって異なってもよい。光学変形部に加えてまたはその代わりに反射防止コーティングまたは偏光コーティングなどのオプティカルコーティングもトランスリフレクタのいずれかの面に塗布されてもよい。
【００１７】
同様に、バックライトは、発光面から光学変形部に当たる光を反射するまたは屈折させるための少なくとも１つの傾斜面を含む、明確に規定された形状の、その発光面から特定の光出力分布を発生するための個々の光学変形部のパターンを有し得る。これらの変形部のうち少なくともいくつかの傾斜面は、バックライトにわたり光入力端縁の光学結合区域に面するような向きにされ得る。また、バックライト／パネル部材の発光部の中の窪みまたはその上の突出部を含み得る変形部のうち少なくともいくつかのサイズ、形状、深さもしくは高さ、密度および／または向きは、バックライトにわたって異なってもよい。さらに、変形部は、バックライトにわたってランダムに配置されたり、互い違いに配置されたり、または確率的パターンで配置されてもよい。さらに、変形部の少なくともいくつかはバックライトにわたって塊で配置されてもよく、塊の各々の中の変形部の少なくともいくつかは、バックライトにわたって異なる、塊の各々ごとの平均サイズまたは形状特徴をまとまって生じる異なるサイズまたは形状特徴を有する。これにより、バックライトからの入射光を受けるトランスリフレクタ上の光入力面とバックライトの光出力分布とが互いと同調されるようになり、これによりトランスリフレクタはバックライトが送出する光のより多くをより十分に透過する。また、トランスリフレクタに最も近いバックライトの側は、トランスリフレクタの上またはその中に変形部と整列する光学変形部を有し、バックライトからトランスリフレクタに光が透過する効率を増大させ得る。整列されたバックライトとトランスリフレクタ変形部との間の領域は、効率をさらに高めるために、屈折率一致材料を含み得る。ディスプレイはバックライトとは反対のトランスリフレクタの側に密に近接して置かれ得る。
【００１８】
以上の関連の目的を達成するため、この発明は、クレーム、以下の説明およびこの発明のある例示的な実施例を詳細に述べる添付の図面においてより十分に説明されかつ特に指摘される特徴を含むが、これらはこの発明の原則を用い得るさまざまな態様のうちいくつかのみを示すにすぎない。
【発明を実施するための最良の形態】
【００１９】
発明の詳細な説明
ここで図面を詳細に参照して、およびまず図１から図３を参照して、これらの図面はこの発明に従う３つの異なるトランスリフレクタシステム１、２および３を概略的に示す。これらの各々は、液晶ディスプレイまたはメンブレンスイッチなどのディスプレイＤとバックライトＢＬとの間に置かれたトランスリフレクタ４、５および６を含む。トランスリフレクタは、明るい環境でディスプレイがより見やすく（たとえばより明るい）なるようにディスプレイを通ってディスプレイから出る周辺光のより多くを反射し、かつバックライトからの光のより多くをトランスリフレクタを通してディスプレイの外へ透過させて暗い環境でディスプレイを照明するためのものである。
【００２０】
図１および図２に示されるトランスリフレクタ４、５の各々は、透明な（すなわち、光学的に透明または半透明な）基板を含み、これは、たとえばキャリア膜（carrier film）および紫外線硬化層を含む多層フィルムを含むフィルムまたはプレートであり得る。基板の一方側の上またはその中には間隔をあけて複数の光学的要素または変形部８が存在し、その各々は、１つ以上の光反射面９および非反射光透過面１０を含む。変形部８は、図４ａ−図４ｃに概略的に示されるような溝１１、または図５ａ−図５ｄに概略的に示される
ように明確に規定された形状を各々が有する個々の光学変形部１２のパターンのいずれかであり得る。溝１１は、図４ａおよび図４ｂに概略的に示されるように、その長さにわたって同じ高さであってもよく、または図４ｃに概略的に示されるように、その長さに沿って高さが異なってもよい。また、図４ｃにさらに概略的に示されるように、高さのばらつきは溝１１ごとに異なってもよい。個々の光学変形部１２の各々は、図５ａおよび図５ｂに概略的に示されるように実質的に同じサイズおよび形状であってもよく、または図５ｃに概略的に示されるように異なるサイズおよび外形形状であってもよい。図５ａに示される光学変形部１２は、各々、２つの面、すなわち平らな反射面９およびカーブした光透過面１０しか有しない。一方、図５ｂに示される光学変形部１２は、各々、複数の反射面９と１つの光透過面１０とを含むピラミッド形状を有する。
【００２１】
また、光学変形部１２の各々は、図１に概略的に示されるように、１つの入力端縁にのみ光学的に結合される単一の光源５０によって点灯されるバックライトからの光を受けるため、図１および図５ａから図５ｃに概略的に示されるように、変形部の各々の光透過面１０が同じ一般的方向を向いたパターンで配置されてもよく、または図１ａに概略的に示されるように、２つの入力端縁に光学的に結合される２つの光源５０によって点灯されるバックライトからの光を受けるため、図１ａおよび図５ｄに概略的に示されるように、異なる光学変形部１２の光透過面１０どうしおよび光反射面９どうしが反対の方向をほぼ向いたパターンで配置されてもよい。
【００２２】
図５ａでは、個々の光学変形部１２の反射面９は丸められるかまたはカーブし、光透過面１０は平らである。しかしながら、図６ａに概略的に示されるように、個々の光学変形部１２の反射面９が平らで、光透過面１０が丸められることが認められるであろう。これに代えて、図６ｂから図６ｅに概略的に示されるように、個々の光学変形部１２の反射面９と光透過面１０との両者ともが平らであってもよい。また、個々の光学変形部１２の反射面９および光透過面１０は、図５ａから図５ｄならびに図６ａ、図６ｂおよび図６ｄに概略的に示されるように互いに交差してもよく、または、図６ｃに概略的に示されるようにトランスリフレクタの一般平面と平行に延びるもしくは図６ｅに概略的に示されるようにトランスリフレクタの一般平面と交差する中間面１３によって互いから間隔をあけられてもよい。さらに、個々の光学変形部は、図６ｂおよび図６ｃに概略的に示されるように、丸められたまたはカーブした端を有してもよい。
【００２３】
光透過面１０は、バックライトからの光のより大きな部分を透過しかつトランスリフレクタを通してトランスリフレクタの他方側から外へ光を方向付けるように角度付けられる。また、バックライトＢＬから送出される光線Ｒの最大出力角度に対して垂直な平面上の光透過面１０の突出区域は、トランスリフレクタ４、５の一般平面の上の反射面９の突出区域よりも実質的に小さい。これにより、図１および図２に概略的に示されるように、反射面９は、ディスプレイＤを通ってディスプレイに戻る周辺光のより多くを反射し、明るい環境でディスプレイがより見やすく（たとえばより明るく）なり得る。同時に、光透過面１０は、バックライトＢＬまたは他の光源からトランスリフレクタ４、５上に入射する光のより多くをディスプレイの外へ透過して、暗い環境でディスプレイを照明する。
【００２４】
反射面９は、偏光コーティングも含み得るメタライズド（metallized）コーティングなどの好適な反射コーティング１５で被覆される一方、光透過面１０は、光透過面を通過する光を再方向付けするため、図１および図２にたとえば１６で概略的に示されるようにテクスチャ付けされるかまたはレンズ状にされてもよい。
【００２５】
図１に示される実施例では、ディスプレイＤからいちばん遠くのトランスリフレクタ４の側が反射面９および関連の光透過面１０を含む一方、図２に示される実施例では、ディスプレイＤに最も近いトランスリフレクタ５の側が反射面９および関連の光透過面１０を
含む。いずれの場合も、ディスプレイを通過する周辺光のより多くの部分が反射面９によって反射されてディスプレイに戻され、ディスプレイは明るい環境でより見やすくなる。
【００２６】
暗い環境では、図１に示されるトランスリフレクタ４の場合、バックライトＢＬに最も近いトランスリフレクタの側の上の反射面９間の光透過面１０は、バックライトからの光のより多くの部分を透過し、かつトランスリフレクタを通してトランスリフレクタの他方側から外へ光を方向付けるように角度付けられる。トランスリフレクタ４の他方側は、図１の仮想線１７ならびに図１ｂおよび図４ｂの実線で示されるように平らであり得るか、または図１、図１ａ、図１ｃ、図４ａおよび図４ｃに実線で示されるようにトランスリフレクタの他方側の中もしくはその上にテクスチャ、化学エッチングもしくはレーザエッチングもしくは光学変形部１８を有して、ディスプレイＤの垂直方向により向けて光を再方向付けして、暗い環境でディスプレイをよりよく照明し得る。他方側も（図１の仮想線、および図４ｂの実線、および比較の目的のために図１ｂの右側にのみ示される）反射防止または偏光再循環フィルム（recycling film）１７′などのオプティカルフィルム（コーティング、層）を有してもよい。バックライトＢＬから送出される光は偏光されていない（すなわち、図１ｂに概略的に示されるように、２つの偏光Ｐ1およびＰ2からなる）。この偏光されていない光が偏光再循環コーティング１７′に当たると、偏光Ｐ1は透過し、偏光Ｐ2は反射される。偏光Ｐ1は継続してＬＣＤを透過する。偏光Ｐ2はトランスリフレクタの中に反射され、そこでそれは反射偏光器１７′に向けて反射され、散乱されて、再び偏光Ｐ1およびＰ2の両者が混合し、このプロセスが繰返される。
【００２７】
機能比較のために図１ｂのトランスリフレクタの左側に示されるように反射偏光フィルム１７′が存在しない場合、バックライトＢＬを離れてトランスリフレクタによって透過される未偏光の光Ｐ1およびＰ2はＬＣＤに当たり、偏光Ｐ1はＬＣＤを透過する一方で偏光Ｐ2は吸収され、その結果、光の実質的に５０％が失われる。
【００２８】
図２に示されるトランスリフレクタ５の場合、トランスリフレクタの他方側は、図２の仮想線１７が示すように平らであり得るか、または図２の実線で示されるようにテクスチャ、化学エッチング、もしくはレーザエッチングまたは光学変形部１９を有し得る。ここで、変形部１９は、バックライトまたは他の光源からの光を透過し、かつディスプレイＤに最も近いトランスリフレクタの側の光透過面１０に光を方向付けるように角度付けられる。これにより、トランスリフレクタを通してバックライトから透過された光の量が増大してディスプレイを照明する。他方側も反射防止コーティングまたは偏光コーティングなどのオプティカルコーティング１７′を有してもよい。これらの光学変形部１８、１９は、溝であるか、または後に説明されるように明確に規定された形状を各々が有する個々の変形部であり得る。
【００２９】
図１に示されるトランスリフレクタ４の上側の中またはその上の光学変形部１８と、図２に示されるトランスリフレクタ５の底側の中またはその上の光学変形部１９とは、たとえば図７ａおよび図７ｂに概略的に示されるタイプの角柱状もしくはレンズ状の溝２１、２２、または図７ｃに概略的に示されるように互いに対して垂直に切断されてピラミッド状の構造３０を生じる２組の溝２１もしくは２２（たとえばクロス溝（cross groove））からなり得る。これに代えて、そのような光学変形部１８、１９は、図７ｄに示されるように密なアレイ２３、もしくは図７ｅに示されるように間隔をあけられたアレイ２４であり得、ならびに図７ｄおよび図７ｅに示されるような列２５であり得る、もしくは図７ｆの２６で示されるようにランダムに配置され得る、各々が明確に規定された形状を有する個々の光学変形部のパターンからなってもよい。さらに、個々の光学変形部１８、１９のパターンは互いとランダムに重なって、光学変形部が互いに交互に配置されたり、または図７ｇに概略的に示されるように互いと交差したり、もしくは互いにインターロックしたりしてもよい。また、光学変形部の位置、サイズ、高さ、密度、角度、向きおよび／また
は形状は基板にわたって異なり得る。
【００３０】
個々の光学変形部１８、１９は、多くの異なる形状も取り得る。たとえば、図８ａに示されるような三角形の側面３１を備えるピラミッド３０、図８ｂに示されるように台形状の側面３３および平らな上面３４を備える切頭ピラミッド３２、図８ｃに示されるように側面３６が丸められまたはカーブして長く、平面３５の角度が比較的急勾配のもの、図８ｄに示されるような円錐形状３７、図８ｅに示されるように上面３９が平らな切頭円錐形状３８、図８ｆに示されるように側４１がより急な勾配で丸くまたはカーブし、平面４０の傾斜が比較的浅いもの、図８ｇに示されるように両端４３が丸められまたはカーブし、１対の側面４２が反対側に傾斜して交差するもの、図８ｈに示されるように両端４５が丸くされまたはカーブし、上面４６が平らで１対の平らな側面４４が反対側に傾斜したもの、および図８ｉに示されるような半球形状４７である。さらに、１つよりも多くのタイプの形状の光学変形部１８、１９をトランスリフレクタの一方側または両側の中または上に設けてもよい。
【００３１】
いずれの場合も、バックライトに最も近いトランスリフレクタ４、５の側の上の変形部の位置、角度、密度、サイズ、高さ、形状および向きのパターンは、バックライトからの特定の光分布を透過するように設計される。この目的のため、トランスリフレクタ４の面１０およびトランスリフレクタ５の面２０の角度は、光源５０からの距離が増大するにつれて変化して、光源からの距離が増すにつれてバックライトＢＬが異なって光を送出する態様を創出し得る。
【００３２】
図９および図１０は、図１および図２に示されるトランスリフレクタ４および５の光反射面９および光透過面１０を製造する２つの異なる方法を示す。図９に示される方法では、反射フィルム、層またはコーティング１５は、各々が一定の屈折率を有する（図９ａを参照）１つ以上の層を含み得る透明な基板７の一方側に塗布され得る。次に、反射コーティングは、プレスまたはローラ５１を用いて透明な基板のコーティングされた側を熱成形して、図９ｂおよび図９ｃに示されるように間隔をあけられ角度付けられまたは傾斜しコーティングされていない他の複数の光透過面または区域１０で分離された間隔をあけられ角度付けられまたは傾斜し反射コーティングされた複数の面または区域９を形成することによって、選択された面または区域から除去され得る。熱成形プロセスの間またはその後に、光透過面１０は、所望により光透過面を通過する光を再方向付けするようにテクスチャ付けられるまたはレンズ状にされ得る。基板７の他方側は、図９ｂの実線１７および図９ｃの仮想線１７で示されるように平らなままにされてもよく、またはテクスチャ付けされてもよく、または図９ｃの実線で示されるように光学変形部１８を設けてもよい。また、図９ｃの仮想線でさらに示されるように、オプティカルコーティング１７′を他方側に塗布してもよい。
【００３３】
図１０に示される方法は、基板の一方側が熱成形されて、図１０ｂに示されるような他の角度付けられまたは傾斜した複数の面１０によって分離される、間隔をあけられ角度付けられまたは傾斜した複数の面９が作製されるまでは透明な基板７に反射コーティングが塗布されないという点で図９に示されたものとは異なっている。次に、光透過面１０はコーティングせずに残して、たとえば高低線堆積技術を用いて、図１０ｃに示されるように角度付けられた面９のみに反射コーティング１５を塗布して反射面９を形成する。これに代えて、反射面９の上に反射コーティング１５を熱間スタンプしてもよい。
【００３４】
図３に示されるトランスリフレクタ６は、２つの基板の間の界面５９に光学変形部５７、５８を備える、互いに接合され屈折率の異なる少なくとも２つの透明な基板５５、５６を含む点で、図１および図２に示されるトランスリフレクタとは異なっている。基板５５、５６は、所望により、完全にもしくは部分的に互いに接合されるか、または選択された
区域で互いに接合され得る。ディスプレイＤに最も近い基板５５は、ディスプレイから最も遠い基板５６よりも屈折率が高い。基板の１つ（たとえば基板５５）の嵌め合い側は光学変形部５７のパターンを含み、他方の基板５６の嵌め合い側は光学変形部５８の逆パターンを含む。これらの光学変形部は異なる形状の溝を含み得る。たとえば、それぞれ図３および図３ａに示されるように鋭角のもしくはカーブした頂部および谷部を備える平らな側、もしくは図３ｂに示されるようなカーブした側を有する角柱状の溝、またはクロス溝、またはレンズ状溝、または以前に説明されかつ図７および図８に概略的に図示されるように明確に規定された形状を各々が有する個々の光学変形部である。これにより、２つの基板の屈折率の差により、ディスプレイを通過し、トランスリフレクタ６の屈折率のより高い側５５に入る周辺光のより大きな部分が、２つの基板間の内側の高／低界面５９と底部／空気界面６０との両者で完全に内部反射されるようになり、明るい環境でディスプレイがより見やすくなる。
【００３５】
バックライトＢＬからの光線Ｒはトランスリフレクタ６の屈折率のより低い側５６を通って入り、トランスリフレクタを通ってディスプレイＤに透過される。バックライトＢＬに最も近い屈折率のより低い基板５６の側１７は、図３の仮想線で示されるように平らであってもよく、テクスチャ付けされてもよく、または図２に示されるトランスリフレクタ５の光学変形部１９と同様であり得る、図３に実線で示されるような光学変形部６１のパターンを有してもよく、これにより、光学変形部の角度、密度、サイズ、形状および向きを設計することによってバックライトＢＬから送出される光の特定の分布を透過させるトランスリフレクタ６の能力を最適化し、前述の態様でバックライトから送出される特定の光分布を透過させる。また、トランスリフレクタ６の光学変形部６１の入光面６２の角度は、図３に概略的に示されるように光源５０からの光が増すにつれて異なるようにされて、これにより、図１および図２に示されるトランスリフレクタ４および５の入光面１０および２０と同様に、光源からの距離が増すにつれてバックライトが異なって光を送出する態様をもたらし得る。
【００３６】
所望により、トランスリフレクタ６の２つの基板５５、５６の間の界面５９に、図３に概略的に示されるような、反射防止コーティング、メタライズドコーティングおよび／または偏光コーティング６３を設けてもよい。また、拡散器または輝度向上フィルムまたは光学変形部またはテクスチャ６４を屈折率のより高い基板５５の外側面に塗布して、トランスリフレクタ６からの所望の光出力分布を得てもよい。さらに、図３ｃに概略的に示されるように、トランスリフレクタ６は、いちばん外側の層５５、５６ａの外側面の上またはその中に光学変形部を備える、基板の嵌め合い側に沿って互いに結合された、屈折率の異なる２つよりも多くの透明な基板５５、５６、５６ａを含んでもよい。
【００３７】
図３に示されるトランスリフレクタ６を製造する１つの方法は、基板のうち１つ（この場合基板５５）の一方側の中またはその上に光学変形部５７の所望のパターンを予め形成し、光学変形部５７の予め形成されたパターンを用いて、他方の基板５６の一方側の中またはその上に光学変形部５８の逆パターンを形成し、次に２つの基板を互いに接合して、図１１に概略的に示されるように光学変形部５７と逆の光学変形部５８とが互いと嵌め合い係合するようにすることである。光学変形部５８の逆パターンは、他の基板５６を溶融または熱軟化する一連の予熱器６５間に他の基板５６を通し、次に図１１に示されるように冷間ローラ６７に１つの基板５５を通すことによって１つの基板５５が溶融しないようにしながら、形成すべき基板５６をその最終温度にもたらす熱間ローラ６６を用いて１つの基板５５に対して溶融したまたは熱軟化した基板５６をプレスすることによって他の基板５６の一方側の中またはその上に形成され得る。次に基板の両者５５、５６を１対の冷間ローラ６８、６９に通して、溶融したおよび／または熱軟化した基板５６を硬化させて、図１１にさらに示されるように予め形成された基板５５と接合させ得る。
【００３８】
これに代えて、基板５５よりも屈折率が低い透明な紫外線硬化ポリマー５６を他の基板の代わりに用いてもよい。未硬化ポリマー５６を１つの基板５５の一方側の中またはその上の光学変形部５７の予め形成されたパターンに塗布し、次に硬化させて、ポリマーの中またはその上に光学変形部５８の逆パターンを形成して、そのポリマーを１つの基板の一方側に接合する。
【００３９】
バックライトＢＬは実質的に平坦であってもよく、またはカーブしてもよく、または単一の層または多層であってもよく、所望により異なる厚みおよび形状を有してもよい。さらに、バックライトは、可撓性であってもまたは剛性であってもよく、さまざまな化合物から作られてもよい。さらに、バックライトは、中空であっても、液体、空気で充填されても、または中実であってもよく、孔または隆起部を有してもよい。
【００４０】
また、光源５０はアーク灯、色付けされ、フィルタされもしくは塗装され得る白熱電球、レンズエンド電球（lens end bulb）、線光（line light）、ハロゲンランプ、発光ダイオード（ＬＥＤ）、ＬＥＤからのチップ、ネオン電球、冷陰極蛍光灯、遠隔の源から伝わる光ファイバライトパイプ、レーザもしくはレーザダイオードまたはいずれの他の好適な光源であってもよい。さらに、所望の色付きまたは白色の光出力分布を与えるため、光源５０は、多色ＬＥＤまたは多色放射源の組合せであってもよい。たとえば、異なる色（赤、青、緑）のＬＥＤまたは多色のチップを備える単一のＬＥＤなどの複数の色付きの光を用いて、各個々の色付けされた光の強度を変えることにより、白色光またはいずれの他の色の光出力分布を発生してもよい。
【００４１】
所望により、光学変形部のパターンは、バックライトＢＬの一方側もしくは両側またはバックライトの一方側もしくは両側の１つ以上の選択された区域に設けられてもよい。本明細書中で用いるように、光学変形部という用語は、光の一部が送出されるようにする、面および／またはコーティングもしくは表面処理の形状または外形のどのような変化も意味するものである。これらの変形部は、バックライトの選択された区域に対し、たとえば、塗装されたパターン、エッチングされたパターン、機械加工されたパターン、プリントされたパターン、熱間スタンプされたパターンまたは成形されたパターンなどを施すことにより、さまざまな態様で作製することができる。たとえば、パッドプリンティング、シルクスクリーン、インクジェット、熱伝達フィルム加工などにより、インクまたはプリントパターンを塗布してもよい。また、用いられるシートまたはフィルムの上に変形部をプリントして、変形部をバックライトに塗布してもよい。このシートまたはフィルムは、所望の効果を生じるように、たとえば、バックライトの一方側または両側にシートまたはフィルムを装着するまたはそれ以外の方法でこれを位置決めすることにより、バックライトの永久的な部分となり得る。
【００４２】
バックライトの区域または複数の区域の上またはその中の変形部の密度、不透明性もしくは半透明性、形状、深さ、色、面積、屈折率またはタイプを変えることにより、バックライトの光出力を制御することができる。変形部を用いて、バックライトの発光区域から出力される光の割合を制御し得る。たとえば、より少ない光出力が望まれる表面区域上に、より少ないおよび／またはよりサイズの小さい変形部を置いてもよい。これに対して、より大きな光出力が望まれるバックライトの表面区域上に、より大きな割合のおよび／またはより大きな変形部を置いてもよい。
【００４３】
実質的に均一な光出力分布を提供するためには、バックライトの異なる区域で変形部の割合および／またはサイズを異ならせる必要がある。たとえば、バックライトを通して伝わる光の量は、通常、光源から遠隔にされた他の区域よりも光源により近い区域でより大きいであろう。変形部のパターンを用いて、光源からの距離が増すにつれてたとえば、変形部をより密に集中させることによってバックライト内の光の分散を調節し、それにより
、バックライトからのより均一な光出力分布を生じ得る。
【００４４】
また、特定の用途に適するように、変形部を用いて、バックライトからの出力光線角度分布を制御してもよい。たとえば、液晶ディスプレイを背面から照らすのにバックライトを用いる場合、光出力は、変形部が予め定められた光線角度で光線をバックライトから送出し、それによりそれらが低い損失で液晶ディスプレイを通過すればより効率的である。さらに、光変形部のパターンを用いて、バックライトの光抽出による光出力分散を調節してもよい。光変形部のパターンは、光沢のあるものから不透明なものまたはその両方にわたる、幅広い塗料、インク、コーティング、エポキシなどを用いてバックライト表面区域上にプリントされてもよく、ハーフトーン分離技術を用いて変形部のカバー範囲を変えてもよい。さらに、光学変形部のパターンは多層であってもまたは屈折率が異なっていてもよい。
【００４５】
光学変形部のプリントパターンは、点、方形、ダイヤモンド、楕円、星、ランダムな形状など、形状が異なってもよい。また、１インチ当たり６０本またはそれよりも細かい線のプリントパターンを用いることが望ましい。これにより、特定の用途では、プリントパターン中の変形部または形状が人の目にほとんど見えなくなり、これにより、より大きな素子を用いる光抽出パターンに共通の勾配または帯状の線（banding lines）が検出されなくなる。さらに、変形部は、バックライトの長さおよび／または幅に沿って形状および／またはサイズが異なってもよい。また、バックライトの長さおよび／または幅にわたって変形部のランダムな配置パターンを用いてもよい。モアレ効果またはその他の干渉効果を減じるため、変形部は、特定の角度を有しない形状またはパターンを有してもよい。これらのランダムなパターンを作り出す方法の例は、確率的プリントパターン技術、周波数変調ハーフトーンパターンまたはランダムドットハーフトーンを用いて形状のパターンをプリントすることである。さらに、変形部に色付けしてバックライトの色補正を行なってもよい。また、変形部の色がバックライトを通して異なって、たとえば同じまたは異なる光出力区域に異なる色を与えてもよい。
【００４６】
光学変形部のパターンに加えてまたはその代わりに、鋳型パターンのより複雑な形状を用いて図７ａ−図７ｃに示されるような角柱状もしくはレンズ状溝またはクロス溝またはさまざまな形状の窪みもしくは盛り上がり面を含む他の光学変形部をバックライトの１つ以上の表面区域の中にまたはその上に成形、エッチング、型押し、熱成形、熱間スタンプするなどしてもよい。角柱状もしくはレンズ状の面、窪みまたは盛り上がり面は、それによって接する光線の一部がバックライトから送出されるようにする。また、所望の光出力分布または効果を生じるように、角柱、窪みまたは他の面の角度を変えて、光を異なる方向に方向付けてもよい。さらに、モアレ効果またはその他の干渉効果を減じるため、反射面または屈折面は、特定の角度を有しない形状またはパターンを有してもよい。
【００４７】
図１から図３に概略的に示されるように、バックライトＢＬの一方側に裏面反射体７５を装着するかまたは位置決めして、その側から送出された光を反射してパネルに戻し、反対側を通って送出することにより、バックライトの光出力効率を向上させ得る。さらに、内側臨界角を超えて光の一部がバックライトの一方側または両側から送出されるように、図１から図３に概略的に示されるようにバックライトの一方側または両側上に光学変形部７６のパターンを設けて光の経路を変更してもよい。バックライトＢＬのこれらの光学変形部７６は、トランスリフレクタ４の光学変形部８と逆の形状を有してもよく、バックライトからトランスリフレクタへの光転送効率を増大するように、図１ｃに概略的に示されるように整列されてもよい（所望により、互いに重なってもよい）。さらに、整列したバックライトとトランスリフレクタ変形部７６および８との間の領域は、そのような光転送効率をさらに増大させるように屈折率一致材料７９を含んでもよい。さらに、図１および図２に概略的に示されるように、光が送出されるバックライトの側または複数の側に対し
て透明なフィルム、シートまたはプレート７７を装着するかまたは位置決めして、光出力分布の均一性をさらに向上させ得る。たとえば、フィルム、シートまたはプレートは輝度向上フィルムまたは拡散器であり得る。
【００４８】
図１２から図１５は、それぞれのバックライト表面区域８２上の個々の突出部８１またはそのような表面区域の中の個々の窪み８３のいずれかであり得る、他の光学変形部８０を示す。いずれの場合も、これらの光学変形部８０の各々は、１つの端縁８５でそれぞれのバックライト表面区域８２と交差しかつ変形部の各々によって発光をより正確に制御するためにその長さにわたって均一な傾斜を有する反射または屈折面８４を含む明確に規定された形状を有する。各反射／屈折面８４の周方向端縁部分８６に沿って各変形部８０の端壁８７が存在し、これは、反射／屈折面８４とパネル表面区域８２（図１４および図１５を参照）との間の開先角度（included angle）Ｉ′よりも大きな開先角度Ｉでそれぞれのパネル表面区域８２と交差して、パネル表面区域上の端壁の突出表面区域を最小にする。これにより、端壁８７の突出表面区域が反射／屈折面８４の突出表面区域と実質的に同じ大きさであるまたはそれよりも大きい場合にさもなければ可能であるよりも多くの変形部８０をパネル表面区域の上またはその中に設けることが可能になる。
【００４９】
図１２および図１３では、反射／屈折面８４の周方向端縁部分８６および関連の端壁８７が横方向に曲げられる。また、図１４および図１５では、変形部８０の端壁８７が変形部の反射／屈折面８４に対して実質的に垂直方向に延在して示される。これに代えて、そのような端壁８４は、図１６および図１７に概略的に示されるように、パネル表面区域８２に対して実質的に垂直方向に延在してもよい。これは、パネル表面区域８２上の端壁８７のいずれの突出表面区域も事実上排除するので、パネル表面区域上の変形部の密度をさらに増大し得る。
【００５０】
パネル表面区域から所望の光出力分布を得るため、光変形部は他の明確に規定された形状を有してもよい。図１８は、パネル表面区域８２上の個々の光抽出変形部８８を示し、その各々は、ほぼ平らな矩形の反射／屈折面８９と、それらの長さおよび幅にわたって均一な傾斜の関連の端壁９０およびほぼ平面の側壁９１とを含む。これに代えて、変形部８８′は、図１９に概略的に示されるように、丸められたまたはカーブした側壁９２を有してもよい。
【００５１】
図２０は、パネル表面区域８２上の個々の光抽出変形部９３を示し、その各々は、平らで傾斜した三角形の反射／屈折面９４と、関連の平らでほぼ三角形に形作られた側壁または端壁９５とを含む。図２１は、各々が、角度付けられた周方向端縁部分９８を有する平らで傾斜した反射／屈折面９７と、関連の角度付けられた端壁および側壁９９および１００とを含む個々の光抽出変形部９６を示す。
【００５２】
図２２はほぼ円錐形状の個々の光抽出変形部１０１を示す一方、図２３は、各々が、丸められた反射／屈折面１０３と、丸められた端壁１０４および丸められたまたはカーブした側壁１０５とをすべてともに混合して含む個々の光抽出変形部１０２を示す。これらのさらなる面は、その上に当たる他の光線を異なる方向に反射または屈折させて、バックライト／パネル部材ＢＬにわたって光を広げて、パネル部材から送出される光のより均一な分布を与える。
【００５３】
個々の変形部の反射／屈折面ならびに端壁および側壁の特定の形状にかかわらず、そのような変形部は、パネル表面区域８２に対して平行に間隔をあけた関係の、反射／屈折面ならびに端壁および／または側壁と交差する平面も含み得る。図２４から図２６は、各変形部とパネル表面区域８２に対して平行に間隔をあけた関係の平面１０９とが交差することを除き、図１８、図１９および図２２にそれぞれ示されたのと同様の代表的な形状を有
する、パネル表面区域上の個々の突出部の形態の変形部１０６、１０７および１０８を示す。同様に、図２７は、パネル表面区域８２中の個々の窪み１１１の形態の多数の変形部１１０のうち１つを示し、その各々は、パネル表面区域８２のほぼ平らな面に対して平行に間隔をあけた関係の平面１０９と交差する。パネル表面区域８２からの発光のための臨界角よりも小さな内角でそのような平面１０９に当たるいかなる光線も平面１０９によって内部で反射される一方で、臨界角よりも大きな内角でそのような平面１０９に当たるいかなる光線も、図２７に概略的に示されるように、最小限の光学的不連続部を備える平面によって送出される。
【００５４】
変形部がパネル表面区域８２上の突出部である場合、図１４および図１６に概略的に示されるように、反射／屈折面は、光源５０からの光線がパネルを通って伝わるのとほぼ反対の方向にパネルから離れるように角度をなして延びる。変形部がパネル表面区域中の窪みである場合、図１５および図１７に概略的に示されるように、反射／屈折面は、光源５０からの光線がパネル部材を通って伝わるのとほぼ同じ方向にパネルの中へ角度をなして延びる。
【００５５】
変形部がパネル表面区域８２の上またはその中の突出部であるかまたは窪みであるかにかかわらず、変形部の光反射／屈折面の傾斜を変更して、その上に当たる光線が発光パネルから屈折されるかまたはパネルを通して反射し返されてパネルの反対側から送出されるようにしてもよく、所望の効果を生じるように、パネルをエッチングしてパネルから送出される光を拡散するか、またはパネルを透明なフィルムで覆ってもよい。また、パネル表面区域上の光学変形部のパターンは、パネル表面区域から所望の光出力分布を得るため、所望により均一であってもまたは可変であってもよい。図２８および図２９は、パネル表面区域８２の長さおよび幅に沿って均一に間隔をあけてほぼ真っ直ぐな複数の列に配置された、図２４および図２５に示されたものと同じ形状の変形部１０６および１０７を示し、一方、図３０および図３１は、パネル表面区域の長さに沿って互いに重なる互い違いの列に配置されたそのような変形部１０６および１０７を示す。
【００５６】
また、パネル表面区域から所望の光出力分布を得るため、光学変形部の幅、長さおよび深さまたは高さを含むサイズに加えて、角度付けられた向きおよび位置は、いずれの所与のパネル表面区域の長さおよび／または幅に沿って異なってもよい。図３２および図３３は、パネル表面区域８２上の互い違いの列に配置された、それぞれ図１８および図１９に示されたものと同じ形状でサイズが異なる変形部８８および８８′のランダムなまたは可変のパターンを示し、一方、図３４は、光源からの変形部の距離が増すにつれまたはパネル表面区域の長さおよび／または幅に沿って光の強度が減少するにつれてサイズが増大する、図２５に示されたものと同じ形状の変形部１０７を示す。変形部８８および８８′は、図３２および図３３に示されるように、パネル表面にわたって塊で配置される。各々の塊の中の変形部のうち少なくともいくつかは、パネル表面にわたって異なる、塊の各々ごとに平均サイズまたは形状特徴をまとまって生じさせる、異なるサイズまたは形状特徴を有する。たとえば、塊の各々の変形部のうち少なくともいくつかは、パネル表面にわたって異なる傾斜面の平均深さもしくは高さ特徴または平均傾斜もしくは向きをまとまって発生させる、異なる深さもしくは高さまたは異なる傾斜もしくは向きを有する。同様に、塊の各々の変形部のうち少なくともいくつかは、パネル表面にわたって異なる平均幅または長さ特徴をまとまって発生させる異なる幅または長さを有し得る。これにより、機械的公差（machinery tolerances）を超えて所望のサイズまたは形状特徴を得ることができ、またモアレ効果および干渉効果を克服する。
【００５７】
図３５および図３６は、パネル表面区域８２の長さおよび幅に沿ったいずれの所望の形状の光学変形部１１５の異なる角度の向きも概略的に示す。図３５では、変形部は、パネル表面区域の長さに沿って真っ直ぐな列１１６に配置されるが、列の各々の中の変形部は
光源５０に面するような向きにされるので、すべての変形部は光源から送出されている光線と実質的に一列になっている。図３６では、変形部１１５も図３５と同様に光源５０に面するような向きにされる。さらに、図３６の変形部の列１１７は、光源５０と実質的に径方向に整列されている。
【００５８】
図３７および図３８は、この発明に従う発光パネルアセンブリＢＬの光遷移区域１２１の中にインサート成形されるかまたは鋳造された、合焦光源５０から送出された例示的な光線１２０が、光線のより多くがパネル部材の他方側１２４よりも一方側１２３から反射または屈折されるようにする、パネル表面区域８２の上またはその中の明確に規定された形状の個々の光抽出変形部８０、１０７に光線が当たるまで、発光パネル部材１２２を通して光線が伝わる間にどのように反射されるかを概略的に示す。図３７は、パネル部材の同じ側１２３を通してほぼ同じ方向に変形部８０の反射／屈折面８４によって反射されている例示的な光線１２０を示す一方で、図３８は、光線がパネル部材の同じ側１２３から反射／屈折される前に変形部１０７の丸められた側壁９２によってパネル部材１２２内で異なる方向に散乱される光線１２０を示す。この発明に従う、明確に規定された形状の個々の光抽出変形部のそのようなパターンにより、パネル部材の入力端縁１２５を通して受けた光の６０ないし７０％またはそれ以上がパネル部材の同じ側から送出され得る。
【００５９】
以上から、この発明のバックライトの光出力分布とバックライトからの入射光を受けるこの発明のトランスリフレクタの光入力面とが互いと同調されて、それによりトランスリフレクタが、バックライトが送出する光のより多くをトランスリフレクタを通してより十分に透過することが明らかである。
【００６０】
この発明はある実施例について示されかつ説明されたが、明細書を読み理解すれば、当業者には均等な変形および変更が想到されることは明らかである。特に、上記構成要素によって達成されるさまざまな機能について、そのような構成要素を説明するのに用いられた（「手段」に対するいかなる言及も含む）用語は、特に他に示されなければ、本明細書中に図示されたこの発明の例示的な実施例の機能を果たす開示された構成要素と構造的に均等でないとしても、（たとえば機能的に均等な）記載された構成要素の特定の機能を果たすいかなる構成要素にも対応することが意図される。さらに、この発明の特定の特徴は１つの実施例についてしか開示されていないかもしれないが、所望によりそのような特徴を他の実施例の他の１つ以上の特徴と組合せてもよく、そのような特徴はいずれの所与のまたは特定の用途にも有利であり得る。
【図面の簡単な説明】
【００６１】
【図１】この発明に従うトランスリフレクタシステムの１つの形態の概略側面立面図である。
【図１ａ】図１に示されるトランスリフレクタシステムの変形の概略側面立面図である。
【図１ｂ】図１に示されるトランスリフレクタシステムの変形の概略側面立面図である。
【図１ｃ】図１に示されるトランスリフレクタシステムの変形の概略側面立面図である。
【図２】この発明に従うトランスリフレクタシステムの他の形態の概略側面立面図である。
【図３】この発明に従うトランスリフレクタシステムの他の形態の概略側面立面図である。
【図３ａ】図３に示されたトランスリフレクタシステムの変形の概略側面立面図である。
【図３ｂ】図３に示されたトランスリフレクタシステムの変形の概略側面立面図である。
【図３ｃ】図３に示されたトランスリフレクタシステムの変形の概略側面立面図である。
【図４ａ】トランスリフレクタの一方側の上の光学変形部が溝を含む、図１に示されるタイプのトランスリフレクタの概略斜視図である。
【図４ｂ】トランスリフレクタの一方側の上の光学変形部が溝を含む、図１に示されるタイプのトランスリフレクタの概略斜視図である。
【図４ｃ】トランスリフレクタの一方側の上の光学変形部が溝を含む、図１に示されるタイプのトランスリフレクタの概略斜視図である。
【図５ａ】トランスリフレクタの一方側の上の光学変形部は、各々が明確に規定された形状を有する個々の光学変形部である、図１に示されるタイプのトランスリフレクタの概略斜視図である。
【図５ｂ】トランスリフレクタの一方側の上の光学変形部は、各々が明確に規定された形状を有する個々の光学変形部である、図１に示されるタイプのトランスリフレクタの概略斜視図である。
【図５ｃ】トランスリフレクタの一方側の上の光学変形部は、各々が明確に規定された形状を有する個々の光学変形部である、図１に示されるタイプのトランスリフレクタの概略斜視図である。
【図５ｄ】トランスリフレクタの一方側の上の光学変形部は、各々が明確に規定された形状を有する個々の光学変形部である、図１に示されるタイプのトランスリフレクタの概略斜視図である。
【図６ａ】図５ａから図５ｄの個々の光学変形部が取り得る他の外形形状の概略斜視図である。
【図６ｂ】図５ａから図５ｄの個々の光学変形部が取り得る他の外形形状の概略斜視図である。
【図６ｃ】図５ａから図５ｄの個々の光学変形部が取り得る他の外形形状の概略斜視図である。
【図６ｄ】図５ａから図５ｄの個々の光学変形部が取り得る他の外形形状の概略斜視図である。
【図６ｅ】図５ａから図５ｄの個々の光学変形部が取り得る他の外形形状の概略斜視図である。
【図７ａ】図１から図３のトランスリフレクタの１つ以上の他の面の上またはその中の光学変形部のパターンの概略斜視図である。
【図７ｂ】図１から図３のトランスリフレクタの１つ以上の他の面の上またはその中の光学変形部のパターンの概略斜視図である。
【図７ｃ】図１から図３のトランスリフレクタの１つ以上の他の面の上またはその中の光学変形部のパターンの概略斜視図である。
【図７ｄ】図１から図３のトランスリフレクタの１つ以上の他の面の上またはその中の光学変形部のパターンの概略斜視図である。
【図７ｅ】図１から図３のトランスリフレクタの１つ以上の他の面の上またはその中の光学変形部のパターンの概略斜視図である。
【図７ｆ】図１から図３のトランスリフレクタの１つ以上の他の面の上またはその中の光学変形部のパターンの概略斜視図である。
【図７ｇ】図１から図３のトランスリフレクタの１つ以上の他の面の上またはその中の光学変形部のパターンの概略斜視図である。
【図８ａ】図７ｃから図７ｅに示された光学変形部に代わり得る個々の光学変形部の外形形状の概略斜視図である。
【図８ｂ】図７ｃから図７ｅに示された光学変形部に代わり得る個々の光学変形部の外形形状の概略斜視図である。
【図８ｃ】図７ｃから図７ｅに示された光学変形部に代わり得る個々の光学変形部の外形形状の概略斜視図である。
【図８ｄ】図７ｃから図７ｅに示された光学変形部に代わり得る個々の光学変形部の外形形状の概略斜視図である。
【図８ｅ】図７ｃから図７ｅに示された光学変形部に代わり得る個々の光学変形部の外形形状の概略斜視図である。
【図８ｆ】図７ｃから図７ｅに示された光学変形部に代わり得る個々の光学変形部の外形形状の概略斜視図である。
【図８ｇ】図７ｃから図７ｅに示された光学変形部に代わり得る個々の光学変形部の外形形状の概略斜視図である。
【図８ｈ】図７ｃから図７ｅに示された光学変形部に代わり得る個々の光学変形部の外形形状の概略斜視図である。
【図８ｉ】図７ｃから図７ｅに示された光学変形部に代わり得る個々の光学変形部の外形形状の概略斜視図である。
【図９ａ】図１および図２に示されたトランスリフレクタの光反射面および光透過面を製造する１つの方法の概略図である。
【図９ｂ】図１および図２に示されたトランスリフレクタの光反射面および光透過面を製造する１つの方法の概略図である。
【図９ｃ】図１および図２に示されたトランスリフレクタの光反射面および光透過面を製造する１つの方法の概略図である。
【図１０ａ】図１および図２に示されたトランスリフレクタの光反射面および光透過面を製造する別の方法の概略図である。
【図１０ｂ】図１および図２に示されたトランスリフレクタの光反射面および光透過面を製造する別の方法の概略図である。
【図１０ｃ】図１および図２に示されたトランスリフレクタの光反射面および光透過面を製造する別の方法の概略図である。
【図１１】図３に示されたトランスリフレクタを製造する１つの方法の概略図である。
【図１２】バックライトの表面の上またはその中に形成される、この発明に従う光学変形部のさまざまな形態を示すバックライト／発光パネルアセンブリの表面区域の拡大概略部分平面図である。
【図１３】バックライトの表面の上またはその中に形成される、この発明に従う光学変形部のさまざまな形態を示すバックライト／発光パネルアセンブリの表面区域の拡大概略部分平面図である。
【図１４】図１２および図１３の光学変形部の１つの拡大縦方向断面図である。
【図１５】図１２および図１３の光学変形部の１つの拡大縦方向断面図である。
【図１６】バックライト表面の上またはその中に形成される、この発明に従う光学変形部の他の形態の拡大概略縦方向断面図である。
【図１７】バックライト表面の上またはその中に形成される、この発明に従う光学変形部の他の形態の拡大概略縦方向断面図である。
【図１８】この発明に従う他の明確に規定された形状の個々の光学変形部のパターンを含むバックライト表面区域の拡大概略斜視図である。
【図１９】この発明に従う他の明確に規定された形状の個々の光学変形部のパターンを含むバックライト表面区域の拡大概略斜視図である。
【図２０】この発明に従う他の明確に規定された形状の個々の光学変形部のパターンを含むバックライト表面区域の拡大概略斜視図である。
【図２１】この発明に従う他の明確に規定された形状の個々の光学変形部のパターンを含むバックライト表面区域の拡大概略斜視図である。
【図２２】この発明に従う他の明確に規定された形状の個々の光学変形部のパターンを含むバックライト表面区域の拡大概略斜視図である。
【図２３】この発明に従う他の明確に規定された形状の個々の光学変形部のパターンを含むバックライト表面区域の拡大概略斜視図である。
【図２４】この発明に従う他の明確に規定された形状の個々の光学変形部のパターンを含むバックライト表面区域の拡大概略斜視図である。
【図２５】この発明に従う他の明確に規定された形状の個々の光学変形部のパターンを含むバックライト表面区域の拡大概略斜視図である。
【図２６】この発明に従う他の明確に規定された形状の個々の光学変形部のパターンを含むバックライト表面区域の拡大概略斜視図である。
【図２７】バックライト表面の上またはその中に形成される、この発明に従う光学変形部の別の形態の拡大概略縦方向断面図である。
【図２８】表面区域の長さおよび幅に沿って複数の真っ直ぐな列に配置される、図２４および図２５に示されたものと同様の形状の光学変形部を含むバックライト表面区域の拡大概略上面図である。
【図２９】表面区域の長さおよび幅に沿って複数の真っ直ぐな列に配置される、図２４および図２５に示されたものと同様の形状の光学変形部を含むバックライト表面区域の拡大概略上面図である。
【図３０】表面区域の長さに沿って互い違いの列に配置される、図２４および図２５に示されたものと同様の形状の光学変形部を含むバックライト表面区域の拡大概略上面図である。
【図３１】表面区域の長さに沿って互い違いの列に配置される、図２４および図２５に示されたものと同様の形状の光学変形部を含むバックライト表面区域の拡大概略上面図である。
【図３２】表面区域上の異なるサイズの光学変形部の塊のランダムなまたは可変のパターンを含むバックライト表面区域の拡大概略上面図である。
【図３３】表面区域上の異なるサイズの光学変形部の塊のランダムなまたは可変のパターンを含むバックライト表面区域の拡大概略上面図である。
【図３４】光入力面からの変形部の距離が増すにつれ、または光の強度が表面区域の長さに沿って増すにつれてサイズが大きくなる、この発明に従う光学変形部を示す、バックライト表面区域の拡大概略斜視図である。
【図３５】バックライト表面区域の長さおよび幅に沿った光学変形部の異なる角度の向きを示す概略斜視図である。
【図３６】バックライト表面区域の長さおよび幅に沿った光学変形部の異なる角度の向きを示す概略斜視図である。
【図３７】この発明に従う、バックライト表面区域の明確に規定された形状の異なる個々の光学変形部が、合焦光源から送出された例示的な光線をどのように反射または屈折させるかを概略的に示す拡大斜視図である。
【図３８】この発明に従う、バックライト表面区域の明確に規定された形状の異なる個々の光学変形部が、合焦光源から送出された例示的な光線をどのように反射または屈折させるかを概略的に示す拡大斜視図である。
【図１】
2005512144.tif 000003
【図２】
2005512144.tif 000004
【図３】
2005512144.tif 000005
【図１ａ】
2005512144.tif 000006
【図１ｂ】
2005512144.tif 000007
【図１ｃ】
2005512144.tif 000008
【図３ａ】
2005512144.tif 000009
【図３ｂ】
2005512144.tif 000010
【図３ｃ】
2005512144.tif 000011
【図４ａ】
2005512144.tif 000012
【図４ｂ】
2005512144.tif 000013
【図４ｃ】
2005512144.tif 000014
【図５ａ】
2005512144.tif 000015
【図５ｂ】
2005512144.tif 000016
【図５ｃ】
2005512144.tif 000017
【図５ｄ】
2005512144.tif 000018
【図６ａ】
2005512144.tif 000019
【図６ｂ】
2005512144.tif 000020
【図６ｃ】
2005512144.tif 000021
【図６ｄ】
2005512144.tif 000022
【図６ｅ】
2005512144.tif 000023
【図７ａ】
2005512144.tif 000024
【図７ｂ】
2005512144.tif 000025
【図７ｃ】
2005512144.tif 000026
【図７ｄ】
2005512144.tif 000027
【図７ｅ】
2005512144.tif 000028
【図７ｆ】
2005512144.tif 000029
【図７ｇ】
2005512144.tif 000030
【図８ａ】
2005512144.tif 000031
【図８ｂ】
2005512144.tif 000032
【図８ｃ】
2005512144.tif 000033
【図８ｄ】
2005512144.tif 000034
【図８ｅ】
2005512144.tif 000035
【図８ｆ】
2005512144.tif 000036
【図８ｇ】
2005512144.tif 000037
【図８ｈ】
2005512144.tif 000038
【図８ｉ】
2005512144.tif 000039
【図９ａ】
2005512144.tif 000040
【図９ｂ】
2005512144.tif 000041
【図９ｃ】
2005512144.tif 000042
【図１０ａ】
2005512144.tif 000043
【図１０ｂ】
2005512144.tif 000044
【図１０ｃ】
2005512144.tif 000045
【図１１】
2005512144.tif 000046
【図１２】
2005512144.tif 000047
【図１３】
2005512144.tif 000048
【図１４】
2005512144.tif 000049
【図１５】
2005512144.tif 000050
【図１６】
2005512144.tif 000051
【図１７】
2005512144.tif 000052
【図１８】
2005512144.tif 000053
【図１９】
2005512144.tif 000054
【図２０】
2005512144.tif 000055
【図２１】
2005512144.tif 000056
【図２２】
2005512144.tif 000057
【図２３】
2005512144.tif 000058
【図２４】
2005512144.tif 000059
【図２５】
2005512144.tif 000060
【図２６】
2005512144.tif 000061
【図２７】
2005512144.tif 000062
【図２８】
2005512144.tif 000063
【図２９】
2005512144.tif 000064
【図３０】
2005512144.tif 000065
【図３１】
2005512144.tif 000066
【図３２】
2005512144.tif 000067
【図３３】
2005512144.tif 000068
【図３４】
2005512144.tif 000069
【図３５】
2005512144.tif 000070
【図３６】
2005512144.tif 000071
【図３７】
2005512144.tif 000072
【図３８】
2005512144.tif 000073
【手続補正書】
【提出日】平成16年8月12日(2004.8.12)
【手続補正１】
【補正対象書類名】特許請求の範囲
【補正対象項目名】全文
【補正方法】変更
【補正の内容】
【特許請求の範囲】
【請求項１】
透明な基板を含むトランスリフレクタであって、前記透明な基板は、対向する側と、前記側の少なくとも一方の上またはその中にある光学変形部と、前記側の少なくとも一方に当たる光を反射するための、各々が反射層または被覆を有する前記基板の上またはその中の複数の反射面と、前記側の少なくとも一方に当たる光を透過するための前記基板の上またはその中の複数の光透過面とを有し、前記光学変形部は少なくとも２つの面を有し、前記面の１つは各々が前記反射層または被覆を有する前記反射面であり、前記面の他のものは前記光透過面である、トランスリフレクタ。
【請求項２】
前記反射面の各々ごとの前記反射層または被覆は反射コーティングである、請求項１に記載のトランスリフレクタ。
【請求項３】
前記光学変形部は各々、前記基板の長さおよび幅よりも実質的に小さい長さおよび幅と、明確に規定された形状とを有する、請求項１に記載のトランスリフレクタ。
【請求項４】
前記光学変形部は前記基板の全長または全幅にわたる、請求項１に記載のトランスリフレクタ。
【請求項５】
透明な基板を含むトランスリフレクタであって、前記透明な基板は、対向する側と、前記側の少なくとも一方の上またはその中の光学変形部と、前記側の少なくとも一方の外側に入射して反射面に当たる外からの光を反射するための反射層または被覆を各々が有する前記基板の上またはその中の複数の反射面と、前記側の少なくとも他方の外側に入射して光透過面に当たる外からの光を透過するための前記基板の上またはその中の複数の光透過面とを有する、トランスリフレクタ。
【請求項６】
前記基板はフィルムまたはプレートである、請求項５に記載のトランスリフレクタ。
【請求項７】
前記基板は多層フィルムである、請求項５に記載のトランスリフレクタ。
【請求項８】
前記反射面および前記透過面は、サイズ、形状、角度および向きのうち少なくとも１つにおいて異なる、請求項５に記載のトランスリフレクタ。
【請求項９】
前記光学変形部の少なくともいくつかは互いに重なる、請求項５に記載のトランスリフレクタ。
【請求項１０】
前記光学変形部の少なくともいくつかは互いに対して互い違いにされる、請求項９に記載のトランスリフレクタ。
【請求項１１】
前記光学変形部の少なくともいくつかは互いと交差するまたは互いをインターロックする、請求項９に記載のトランスリフレクタ。
【請求項１２】
透明な基板を含むトランスリフレクタであって、前記透明な基板は、対向する側と、前記側の少なくとも一方の外側に入射して反射面に当たる外からの光を反射するための反射層または被覆を各々が有する前記基板の上またはその中の複数の反射面と、前記側の少なくとも他方の外側に入射して光透過面に当たる外からの光を透過するための前記基板の上またはその中の複数の光透過面とを有する、トランスリフレクタ。
【請求項１３】
前記反射面は、前記基板の少なくとも前記一方側の外側に入射する外からの光のより大きな部分を反射するように形作られ、向けられ、または角度付けられる、請求項１２に記載のトランスリフレクタ。
【請求項１４】
前記光透過面は、前記基板の少なくとも他方側に入射する外からの光のより大きな部分を透過するように形作られ、向けられ、または角度付けられる、請求項１２に記載のトランスリフレクタ。
【請求項１５】
前記反射面は、前記基板の少なくとも前記一方側の外側に入射する外からの光のより大きな部分を反射するように形作られ、向けられ、または角度付けられ、前記光透過面は、前記基板の少なくとも他方側の外側に入射する外からの光のより大きな部分を透過するように形作られ、向けられ、または角度付けられる、請求項１２に記載のトランスリフレクタ。
【請求項１６】
前記反射面の、前記基板に平行な平面の上に突出したときの突出表面区域は、前記光透過面の、前記基板に平行な平面の上に突出したときの突出表面区域よりも実質的に大きい、請求項１２に記載のトランスリフレクタ。
【請求項１７】
前記光透過面の、前記基板の少なくとも他方側の外側に入射する外からの光の最大強度の角度に対して垂直な平面の上に突出したときの突出表面区域は、前記反射面の、前記基板の少なくとも他方側の外側に入射する外からの光の最大強度の角度に対して垂直な平面の上に突出したときの突出表面区域よりも実質的に大きい、請求項１２に記載のトランスリフレクタ。
【請求項１８】
前記光透過面の、前記基板の少なくとも他方側の外側に入射する外からの光の最大強度の角度に対して垂直な平面の上に突出したときの突出表面区域は、前記反射面の、前記基板の少なくとも他方側の外側に入射する外からの光の最大強度の角度に対して垂直な平面の上に突出したときの突出表面区域よりも実質的に大きく、前記基板の少なくとも他方側の外側に入射する外からの光はバックライトから来る、請求項１２に記載のトランスリフレクタ。
【請求項１９】
前記反射面は実質的に平らである、請求項１２に記載のトランスリフレクタ。
【請求項２０】
前記反射面はカーブしている、請求項１２に記載のトランスリフレクタ。
【請求項２１】
前記光透過面は、前記光透過面に当たる外からの光を再方向付けするようにテクスチャ付けされるかまたはレンズ状にされる、請求項１２に記載のトランスリフレクタ。
【請求項２２】
前記光透過面は、前記光透過面の上またはその中に光学形状を有する、請求項１２に記載のトランスリフレクタ。
【請求項２３】
前記反射面および前記光透過面は、前記基板の中の複数の溝によって形成される、請求項１２に記載のトランスリフレクタ。
【請求項２４】
前記反射面および前記光透過面は、各々が基板の長さおよび幅よりも実質的に小さな長さおよび幅と、明確に規定された形状とを有する、前記基板の上またはその中の個々の光学変形部のパターンによって形成される、請求項１２に記載のトランスリフレクタ。
【請求項２５】
前記反射面および前記光透過面は前記基板の少なくとも前記他方側の上またはその中にあり、前記基板の少なくとも前記一方側は光を再方向付けするように形作られる、請求項１２に記載のトランスリフレクタ。
【請求項２６】
前記基板の少なくとも前記一方側は、前記トランスリフレクタが透過する光を再方向付けるように形作られた光学変形部およびテクスチャのうち少なくとも１つを有する、請求項２５に記載のトランスリフレクタ。
【請求項２７】
前記基板の少なくとも前記一方側は、角柱状溝、レンズ状溝、クロス溝、および明確に規定された形状の個々の光学要素または光学変形部のうち少なくとも１つを含む前記光学変形部を有する、請求項２６に記載のトランスリフレクタ。
【請求項２８】
前記反射面および前記光透過面は前記基板の少なくとも前記一方側の上またはその中にあり、明確に規定された形状の個々の光学変形部のパターンは前記基板の少なくとも前記他方側の上またはその中にあり、前記光学変形部の少なくともいくつかは、位置、サイズ、高さ、密度、角度、向きおよび形状の特徴のうち少なくとも１つにおいて異なる、請求項１２に記載のトランスリフレクタ。
【請求項２９】
光源から光を受けるための少なくとも１つの入力端縁および光を送出するための少なくとも１つのパネル表面を有する発光パネル部材を含むバックライトと、トランスリフレクタの少なくとも一方側の外側に入射する前記パネル表面が送出する光を透過し、かつ前記トランスリフレクタの少なくとも反対側の外側に入射する周辺光を反射するためのトランスリフレクタとを含むトランスリフレクタおよびバックライトシステムであって、前記トランスリフレクタの前記側の少なくとも一方は、光学変形部と、前記トランスリフレクタの少なくとも前記反対側の外側に入射する周辺光を反射するための反射層または被覆を各々が有する前記トランスリフレクタの上またはその中の複数の反射面と、前記トランスリフレクタの少なくとも前記一方側の外側に入射する前記パネル表面が送出する光を透過するための前記トランスリフレクタの上またはその中の複数の光透過面とを有する、システム。
【請求項３０】
前記変形部は少なくとも２つの面を有し、前記面の１つは各々が前記反射層または被覆を有する前記反射面であり、前記面の別のものは前記光透過面である、請求項２９に記載のシステム。
【請求項３１】
光線出力分布を発するパネル表面を有する発光パネル部材を含むバックライトと、１つ以上の層を含むトランスリフレクタとを含むトランスリフレクタおよびバックライトシス
テムであって、前記トランスリフレクタは、バックライトのパネル表面に密に近接した一方側と、一方側の外側に入射するパネル表面からの光線出力分布の５０％よりも多くを透過する前記トランスリフレクタの上またはその中の複数の光透過面と、他方側の外側に入射する周辺光の５０％よりも多くを反射する反射層または被覆を各々が有する前記トランスリフレクタの上またはその中の複数の反射面とを有する、システム。
【請求項３２】
トランスリフレクタが反射する周辺光およびトランスリフレクタが透過するバックライトからの光を受ける、トランスリフレクタの他方側に密に近接したディスプレイをさらに含む、請求項３１に記載のシステム。
【請求項３３】
光源からの光を受けるための少なくとも１つの入力端縁および光を送出するための少なくとも１つのパネル表面を有する発光パネル部材を含むバックライトと、トランスリフレクタの少なくとも一方側の外側に入射する前記パネル表面が送出する光を透過し、かつ前記トランスリフレクタの少なくとも反対側の外側に入射する周辺光を反射するためのトランスリフレクタとを含むトランスリフレクタおよびバックライトシステムであって、前記トランスリフレクタの前記側の一方または他方は、前記トランスリフレクタの少なくとも前記反対側の外側に入射する周辺光を反射するための反射層または被覆を各々が有する複数の反射面と、前記トランスリフレクタの少なくとも前記一方側の外側に入射する前記パネル表面が送出する光を透過するための複数の光透過面とを有する、システム。
【請求項３４】
前記反射面は、前記トランスリフレクタの少なくとも前記一方側の外側に入射する光の５０％よりも多くを反射するように形作られ、向けられ、または角度付けられる、請求項３３に記載のシステム。
【請求項３５】
前記光透過面は、前記トランスリフレクタの少なくとも他方側の外側に入射する光の５０％よりも多くを透過するように形作られ、向けられ、または角度付けられる、請求項３３に記載のシステム。
【請求項３６】
前記反射面および前記光透過面は前記トランスリフレクタの少なくとも前記一方側の中または上に存在し、前記トランスリフレクタの少なくとも前記反対側は、テクスチャ、化学エッチング、レーザエッチング、および前記トランスリフレクタが透過した光を再方向付けするように形作られた光学変形部のうち少なくとも１つを有する、請求項３３に記載のシステム。
【請求項３７】
前記トランスリフレクタの少なくとも前記反対側は、角柱状溝、レンズ状溝、クロス溝、および明確に規定された形状の個々の光学変形部のうち少なくとも１つを含む前記光学変形部を有する、請求項３６に記載のシステム。
【請求項３８】
透明な基板からトランスリフレクタを製造する方法であって、基板の少なくとも一方側に反射コーティングを塗布するステップと、そのような一方側を熱成形して、反射コーティングされた複数の面と、コーティングされていない他の複数の光透過面とを形成するステップとを含む、方法。
【請求項３９】
光を再方向付けするまたは透過するように光透過面の上またはその中に光学形状が形成される、請求項３８に記載の方法。
【請求項４０】
光を再方向付けするまたは透過するために基板の少なくとも他方側の上またはその中に光学形状を形成するステップをさらに含む、請求項３８に記載の方法。
【請求項４１】
透明な基板からトランスリフレクタを製造する方法であって、基板に反射コーティング
を塗布するステップと、次にコーティングを選択的に除去して複数の光透過面を形成するステップとを含む、方法。
【請求項４２】
透明な基板からトランスリフレクタを製造する方法であって、基板の少なくとも一方側の上またはその中に間隔をあけて複数の面または区域を形成するステップと、バックライトからの光を透過するために面または区域のうちあるものを除き、周辺光を反射するために面または区域のうちあるものに反射コーティング、フィルムまたは層を塗布するステップとを含む、方法。
【請求項４３】
屈折率の異なる少なくとも２つの透明な基板からトランスリフレクタを製造する方法であって、基板のうち１つの少なくとも一方側の上またはその中に光学変形部のパターンを予め形成するステップと、１つの基板の少なくとも一方側の上またはその中の光学変形部の予め形成されたパターンを用いて別の基板の少なくとも一方側の中またはその上に光学変形部の逆パターンを形成するステップと、光学変形部と逆光学変形部とが互いと嵌め合い係合するように基板の一方側を互いに接合するステップとを含む、方法。
【請求項４４】
屈折率の異なる少なくとも１つの透明な基板および透明な紫外線硬化ポリマーからトランスリフレクタを製造する方法であって、１つの基板の少なくとも一方側の上またはその中に光学変形部のパターンを予め形成するステップと、１つの基板の少なくとも一方側の上またはその中の光学変形部の予め形成されたパターンにポリマーを塗布するステップと、ポリマーを硬化させてポリマー中に光学変形部の逆パターンを形成し、かつ１つの基板の少なくとも一方側にポリマーを接合するステップとを含む、方法。
【国際調査報告】
2005512144.tif 000074